(57)【特許請求の範囲】
【請求項１】
第１のコンテンツ記録装置及び第２のコンテンツ記録装置と通信可能に接続され、前記第１及び第２のコンテンツ記録装置のリソース情報を管理する機器管理装置であって、
前記第１のコンテンツ記録装置は、画像データ及び音声データのうち少なくとも一方を含む第１のコンテンツデータを第１のデータ圧縮方法で圧縮することにより得られたデジタルデータである第１のデジタル圧縮データを、主コンテンツとして記録するように構成され、
前記第２のコンテンツ記録装置は、前記第１のコンテンツデータを前記第１のデータ圧縮方法と異なる第２のデータ圧縮方法で圧縮することにより得られたデジタルデータである第２のデジタル圧縮データを、従コンテンツとして記録するように構成され、
前記リソース情報は、
前記第１及び第２のコンテンツ記録装置を識別するための機器識別情報と、
前記第１及び第２のコンテンツ記録装置に記録されているコンテンツが前記主コンテンツであるか又は前記従コンテンツであるかを特定するためのコンテンツ識別情報とを含み、
前記第１及び第２のコンテンツ記録装置から前記リソース情報を受信する受信手段と、
前記第１及び第２のコンテンツ記録装置から前記受信手段により受信された前記リソース情報を前記機器識別情報に対応付けて機器ごとに記録する記録手段と、
前記第１及び第２のコンテンツ記録装置を管理する管理手段とを備える機器管理装置。
【請求項２】
前記機器管理装置と通信可能に接続された複数のコンテンツ記録装置のうち前記第１及び第２のコンテンツ記録装置は互いに異なり、
前記管理手段は、前記複数のコンテンツ記録装置を管理することを特徴とする請求項１記載の機器管理装置。
【請求項３】
前記管理手段は、前記主コンテンツが再生不能となった場合、前記従コンテンツから作成したデジタルデータを主コンテンツとして再度記録させ、前記従コンテンツが再生不能となった場合、前記主コンテンツから作成したデジタルデータを従コンテンツとして再度記録させることを特徴とする請求項２記載の機器管理装置。
【請求項４】
前記管理手段は、前記主コンテンツ及び前記従コンテンツの一方に対するユーザからの操作指示を受け付けている場合、他方に対するユーザの操作指示を受け付けないように前記複数のコンテンツ記録装置を制御することを特徴とする請求項２記載の機器管理装置。
【請求項５】
前記複数のコンテンツ記録装置のうち少なくとも一の機器は、可換記録媒体にコンテンツを記録可能な可換記録媒体記録装置を含み、
前記管理手段は、前記主コンテンツ及び前記従コンテンツの一方を前記可換記録媒体記録装置の可換記録媒体へ移動する際、前記主コンテンツ及び前記従コンテンツをともに移動させることを特徴とする請求項２記載の機器管理装置。
【請求項６】
前記複数のコンテンツ記録装置のうち少なくとも一の機器は、可換記録媒体にコンテンツを記録可能な可換記録媒体記録装置を含み、
前記管理手段は、前記主コンテンツ及び前記従コンテンツの一方を前記可換記録媒体記録装置の可換記録媒体へ移動する際、他方を削除させることを特徴とする請求項２記載の機器管理装置。
【請求項７】
前記複数のコンテンツ記録装置のうち少なくとも一の機器は、可換記録媒体にコンテンツを記録可能な可換記録媒体記録装置を含み、
前記管理手段は、前記主コンテンツ及び前記従コンテンツの一方を前記可換記録媒体記録装置の可換記録媒体へ移動した場合、他方に対するユーザの操作指示を受け付けないように前記複数のコンテンツ記録装置を制御することを特徴とする請求項２記載の機器管理装置。
【発明の詳細な説明】
【技術分野】
【０００１】
本発明は、画像データ及び音声データのうち少なくとも一方を含むコンテンツの再生及び記録のうち少なくとも一方に関連する機器のリソース情報を管理する機器管理システム及び機器管理方法、並びに当該機器管理システムに用いられる機器管理装置に関するものである。
【背景技術】
【０００２】
従来、番組の放送チャンネルおよび番組時間（すなわち、放送年月日、放送開始時間、放送終了時間）などの電子番組情報を用いて放送番組の録画予約を容易に行うように構築された番組録画システムが提案されている。例えば、家庭内の番組録画装置にネットワークを介して接続されるサーバが番組録画装置に番組情報を提供するだけでなく、番組時間の変更があった場合に、各番組録画装置の予約内容を変更する技術が提案されている（例えば、特許文献１）。
【特許文献１】特開平１０−１５５１３１号公報
【発明の開示】
【発明が解決しようとする課題】
【０００３】
しかしながら、近年では番組録画装置が一家庭内でも複数台使用されており、サーバが制御する番組録画装置の数が膨大となり、その全てを制御するとサーバの負荷が過大となるため、全ての番組録画装置をサーバが制御することは困難であり、家庭内の複数の番組録画装置を協調的且つ効率的に動作させることはできない。
【０００４】
また、家庭内には、種々の記録媒体を使用する番組録画装置だけでなく、画像データ及び音声データ等から構成されるコンテンツを再生する再生装置やコンテンツを表示する表示装置等の多数の機器が存在する。しかしながら、コンテンツの再生及び記録に関連する機器のリソース情報、例えば、ユーザが利用可能な機能を特定するための機器リソース情報、記録されているコンテンツを特定するためのコンテンツ識別情報等は、各機器で個別に管理しているため、多数の機器を集中して管理することはできず、複数の機器を協調的且つ効率的に動作させることはできない。
【０００５】
本発明の目的は、コンテンツの再生及び記録のうち少なくとも一方に関連する機器のリソース情報を集中的に管理して複数の機器を協調的且つ効率的に動作させることができる機器管理システム、機器管理方法及び機器管理装置を提供することである。
【課題を解決するための手段】
【０００６】
本発明に係る機器管理システムは、画像データ及び音声データのうち少なくとも一方を含むコンテンツの再生及び記録のうち少なくとも一方に関連する機器のリソース情報を管理する機器管理システムであって、所定のネットワークを介して相互に通信可能に接続された複数の機器を備え、前記複数の機器のうち一の機器は、前記複数の機器のリソース情報を管理する主機器であり、他の機器は、前記主機器により制御される従機器であり、前記従機器は、自身のリソース情報を記録するリソース記録手段と、前記リソース記録手段に記録されている自身のリソース情報を前記主機器へ送信する通信手段とを備え、前記主機器は、前記従機器の通信手段により送信されたリソース情報を受信する通信手段と、自身のリソース情報及び前記通信手段により受信された従機器のリソース情報を機器ごとに記録するリソース記録手段と、前記リソース記録手段に記録されている各機器のリソース情報を管理する管理手段とを備えるものである。
【０００７】
本発明に係る機器管理システムでは、従機器に記録されている自身のリソース情報が主機器へ送信され、主機器において、送信されたリソース情報が受信され、受信された従機器のリソース情報が機器ごとに記録され、記録されている各機器のリソース情報が集中的に管理されるので、各機器のリソース情報を用いて主機器が従機器の動作を制御することができ、コンテンツの再生及び記録のうち少なくとも一方に関連する機器のリソース情報を集中的に管理して複数の機器を協調的且つ効率的に動作させることが可能となる。
【０００８】
前記従機器の通信手段は、当該従機器が主機器として動作する場合に従機器となる他の機器の通信手段により送信されたリソース情報を受信し、前記従機器のリソース記録手段は、当該従機器が主機器として動作する場合に自身のリソース情報及び前記通信手段により受信された従機器のリソース情報を機器ごとに記録し、前記従機器は、当該従機器が主機器として動作する場合に前記リソース記録手段に記録されている各機器のリソース情報を管理する管理手段をさらに備え、前記主機器の通信手段は、当該主機器が従機器として動作する場合に前記リソース記録手段に記録されている各機器のリソース情報を主機器となる他の機器へ送信し、前記主機器は、前記通信手段が前記リソース記録手段に記録されている各機器のリソース情報を前記従機器のうちの一の機器へ送信した後に前記従機器として動作し、前記従機器のうち一の機器は、前記通信手段が前記主機器の通信手段から送信された各機器のリソース情報を受信して前記リソース記録手段に記録した後に主機器として動作することが好ましい。
【０００９】
この場合、主機器及び従機器が共通の構成を有するため、主機器を従機器として使用したり、従機器を主機器として利用することができ、機器を増設することにより機器管理システムを構築することができ、機器管理システムを家庭内に容易に構築することができる。
【００１０】
前記複数の機器の各々は、第１の電源状態と、前記第１の電源状態より消費電力が低い第２の電源状態とに切り替える電源切り替え手段をさらに備え、前記主機器の管理手段は、前記従機器のうち使用する従機器の電源切り替え手段を制御して当該従機器を前記第１の電源状態に設定することが好ましい。
【００１１】
この場合、主機器により従機器の電源状態を制御することができ、従機器の不要な電力消費を低減することができる。
【００１２】
前記主機器の通信手段は、前記第２の電源状態にある従機器に対して起動可能か否か問い合わせるための起動確認通知を送信し、前記従機器の通信手段は、前記起動確認通知を受信して起動可能な状態にある場合に起動可能であることを通知するための起動可能通知を前記主機器へ送信し、前記主機器の管理手段は、前記通信手段により起動可能通知を受信した場合に当該従機器が起動可能であると判断して当該従機器を前記第１の電源状態に設定することが好ましい。
【００１３】
この場合、主機器により従機器の電源状態を確実に制御することができ、従機器の不要な電力消費をより低減することができる。
【００１４】
前記主機器の管理手段は、前記通信手段により起動確認通知を送信してから所定時間が経過したときに起動可能通知を受信していない場合、起動可能通知を送信しない従機器が起動不能であると判断し、前記主機器のリソース記録手段は、前記管理手段が起動不能であると判断した従機器のリソース情報を削除することが好ましい。
【００１５】
この場合、起動不能な従機器に対する不要な操作を抑制することができる。
【００１６】
前記主機器の管理手段は、前記従機器のうち使用しない従機器の電源切り替え手段を制御して当該従機器を前記第２の電源状態に設定することが好ましい。
【００１７】
この場合、主機器により使用しない従機器の電源状態を消費電力の低い状態に設定することができ、従機器の不要な電力消費を低減することができる。
【００１８】
前記複数の機器の各々のリソース記録手段は、前記リソース情報として自身を識別するための機器識別情報とユーザが利用可能な機能を特定するための機器リソース情報とを記録し、前記従機器の通信手段は、前記リソース記録手段に記録されている自身の機器識別情報及び機器リソース情報を前記主機器へ送信し、前記主機器の通信手段は、前記従機器の通信手段により送信された機器識別情報及び機器リソース情報を受信し、前記主機器のリソース記録手段は、前記通信手段により受信された機器リソース情報を機器識別情報に対応付けて記録することが好ましい。
【００１９】
この場合、ユーザが利用可能な機能を特定するための機器リソース情報を集中的且つ効率的に管理することができる。
【００２０】
前記主機器のリソース記録手段は、前記通信手段により受信された機器識別情報が記録されていない場合、前記通信手段により受信された機器識別情報及び機器リソース情報を追加して記録することが好ましい。
【００２１】
この場合、新たに機器が追加された場合でも、すべての機器の機器リソース情報を集中的且つ効率的に管理することができる。
【００２２】
前記従機器のうち少なくとも一の従機器は、自身の機器識別情報を含む機器リソース削除指示をユーザから受け付ける機器リソース削除受付手段をさらに備え、前記機器リソース削除受付手段を備える従機器の通信手段は、前記機器リソース削除受付手段により受け付けられた機器リソース削除指示を前記主機器へ送信し、前記主機器の通信手段は、前記従機器の通信手段により送信された機器リソース削除指示を受信し、前記主機器の管理手段は、前記通信手段により機器リソース削除指示が受け付けられた場合、前記リソース記録手段に記録されている機器識別情報を参照して機器リソース削除指示に含まれる機器識別情報に対応付けられている機器リソース情報を削除することが好ましい。
【００２３】
この場合、従機器の指示に応じて不要な機器リソース情報を削除することができる。
【００２４】
前記機器リソース削除受付手段を備える従機器は、コンテンツを記録するコンテンツ記録手段を備えるコンテンツ記録装置を含み、前記コンテンツ記録装置のリソース記録手段は、前記リソース情報として、前記コンテンツ記録手段に記録されているコンテンツを特定するためのコンテンツ識別情報をさらに記録し、前記コンテンツ記録装置の通信手段は、前記リソース記録手段に記録されているコンテンツ識別情報をも前記主機器へ送信し、前記主機器の通信手段は、前記従機器の通信手段により送信されたコンテンツ識別情報をも受信し、前記主機器のリソース記録手段は、前記通信手段により受信されたコンテンツ識別情報をも機器識別情報に対応付けて記録し、前記主機器の管理手段は、前記通信手段により機器リソース削除指示が受け付けられた場合、前記リソース記録手段に記録されている機器識別情報を参照して機器リソース削除指示に含まれる機器識別情報に対応付けられているすべてのコンテンツ識別情報を削除することが好ましい。
【００２５】
この場合、従機器の指示に応じて削除された機器リソース情報に付随するコンテンツ識別情報をも自動的に削除することができる。
【００２６】
前記従機器は、前記ネットワークに対する接続状態を断続させる接続手段をさらに備え、前記従機器の通信手段は、前記接続手段によりネットワークへの接続が切断される前に、前記リソース記録手段に記録されているリソース情報を送信することが好ましい。
【００２７】
この場合、従機器のリソース情報を確実に主機器へ送信することができ、従機器のリソース情報を確実に管理することができる。
【００２８】
前記従機器は、第１の電源状態と、前記第１の電源状態より消費電力が低い第２の電源状態とに切り替える電源切り替え手段をさらに備え、前記従機器の通信手段は、前記電源切り替え手段により第１の電源状態から前記第２の電源状態へ切り替えられる前に、前記リソース記録手段に記録されているリソース情報を前記主機器へ送信することが好ましい。
【００２９】
この場合、従機器が通常電源状態からスリープ状態へ切り替えられても、従機器のリソース情報を確実に主機器へ送信することができ、従機器のリソース情報を確実に管理することができる。
【００３０】
前記複数の機器のうち少なくとも２台の機器は、可換記録媒体の再生及び記録の少なくとも一方を行う可換記録媒体駆動装置を含み、前記可換記録媒体駆動装置のうち少なくとも一の機器のリソース記録手段は、前記リソース情報として、使用した可換記録媒体を識別するための可換記録媒体識別情報と当該可換記録媒体の再生条件及び記録条件のうち少なくとも一方を含む使用条件情報とを記録し、前記リソース記録手段に可換記録媒体識別情報及び使用条件情報を記録している従機器の通信手段は、前記リソース記録手段に記録されている可換記録媒体識別情報及び使用条件情報を前記主機器へ送信し、前記主機器の通信手段は、前記可換記録媒体駆動装置の通信手段により送信された可換記録媒体識別情報及び使用条件情報を受信し、前記主機器のリソース記録手段は、前記通信手段により受信された使用条件情報を可換記録媒体識別情報に対応付けて記録し、前記主機器の管理手段は、前記リソース記録手段に記録されている各可換記録媒体の使用条件情報を管理することが好ましい。
【００３１】
この場合、一の可換記録媒体駆動装置において学習した可換記録媒体の使用条件を他の可換記録媒体駆動装置で利用することができ、使用条件の学習時間等を短縮することができる。
【００３２】
前記複数の機器のうち少なくとも２台の機器は、ユーザの操作に応じて操作指令を受け付ける操作手段をさらに備え、前記操作手段を備える機器のうち一の機器のリソース記録手段は、前記リソース情報として、自身を識別するための機器識別情報と前記操作手段に対してユーザが設定した操作設定を特定するための操作設定情報とを記録し、前記リソース記録手段に機器識別情報及び操作設定情報を記録している従機器の通信手段は、前記リソース記録手段に記録されている機器識別情報及び操作設定情報を前記主機器へ送信し、前記主機器の通信手段は、前記従機器の通信手段により送信された機器識別情報及び操作設定情報を受信し、前記主機器のリソース記録手段は、前記通信手段により受信された操作設定情報を機器識別情報に対応付けて記録し、前記主機器の管理手段は、前記リソース記録手段に記録されている一の従機器の操作設定情報を用いて他の機器の操作手段の操作設定を行うことが好ましい。
【００３３】
この場合、操作手段を備える一の機器において設定された操作設定を、操作手段を備える他の機器で利用することができ、ユーザインターフェースを統一することができる。
【００３４】
前記操作手段は、ユーザの操作に応じて受信チャンネルの設定を受け付け、前記操作手段を備える機器のうち一の機器のリソース記録手段は、前記操作設定情報としてユーザにより設定された受信チャンネルの設定を特定するためのチャンネル設定情報を記録し、前記リソース記録手段にチャンネル設定情報を記録している従機器の通信手段は、前記リソース記録手段に記録されている機器識別情報及びチャンネル設定情報を送信し、前記主機器の通信手段は、前記従機器の通信手段により送信された機器識別情報及びチャンネル設定情報を受信し、前記主機器のリソース記録手段は、前記通信手段により受信されたチャンネル設定情報を機器識別情報に対応付けて記録し、前記主機器の管理手段は、前記リソース記録手段に記録されている一の従機器のチャンネル設定情報を用いて他の従機器の操作手段のチャンネル設定を行うことが好ましい。
【００３５】
この場合、操作手段を備える一の機器において設定されたチャンネル設定を操作手段を備える他の機器で利用することができ、ユーザのチャンネル操作を統一することができる。
【００３６】
前記従機器のうち少なくとも一の機器は、コンテンツを記録するコンテンツ記録手段を備えるコンテンツ記録装置を含み、前記コンテンツ記録装置のリソース記録手段は、前記リソース情報として、自身を識別するための機器識別情報と前記コンテンツ記録手段に記録されているコンテンツを特定するためのコンテンツ識別情報とを記録し、前記リソース記録手段に機器識別情報及びコンテンツ識別情報を記録している従機器の通信手段は、前記リソース記録手段に記録されている機器識別情報及びコンテンツ識別情報を前記主機器へ送信し、前記主機器の通信手段は、前記従機器の通信手段により送信された機器識別情報及びコンテンツ識別情報を受信し、前記主機器のリソース記録手段は、前記通信手段により受信されたコンテンツ識別情報を機器識別情報に対応付けて記録することが好ましい。
【００３７】
この場合、記録されているコンテンツを特定するためのコンテンツ識別情報を集中的且つ効率的に管理することができる。
【００３８】
前記主機器のリソース記録手段は、前記通信手段により受信されたコンテンツ識別情報が記録されていない場合、前記通信手段により受信された機器識別情報に対応付けて前記通信手段により受信されたコンテンツ識別情報を記録することが好ましい。
【００３９】
この場合、新たに機器が追加された場合でも、すべての機器のコンテンツ識別情報を集中的且つ効率的に管理することができる。
【００４０】
前記コンテンツ記録装置は、番組ごとに受信チャンネル、番組内容及び番組時間を含む電子番組情報を参照して前記コンテンツ記録手段に記録されるコンテンツのコンテンツ識別情報を生成する生成手段をさらに備え、前記コンテンツ記録装置のリソース記録手段は、前記リソース情報として、自身を識別するための機器識別情報と前記生成手段により生成されたコンテンツ識別情報とを記録することが好ましい。
【００４１】
この場合、電子番組情報からコンテンツ識別情報を自動的に生成することができる。
【００４２】
前記従機器のうち一の従機器は、自身の機器識別情報及び削除すべきコンテンツ識別情報を含むコンテンツ削除指示をユーザから受け付ける削除受付手段をさらに備え、前記削除受付手段を備える従機器の通信手段は、前記削除受付手段により受け付けられたコンテンツ削除指示を前記主機器へ送信し、前記主機器の通信手段は、前記従機器の通信手段により送信されたコンテンツ削除指示を受信し、前記主機器の管理手段は、前記通信手段によりコンテンツ削除指示が受け付けられた場合、前記リソース記録手段に記録されている機器識別情報及びコンテンツ識別情報を参照してコンテンツ削除指示に含まれる機器識別情報に対応付けられているコンテンツ識別情報のうちコンテンツ削除指示に含まれるコンテンツ識別情報を削除することが好ましい。
【００４３】
この場合、ユーザの操作に応じてコンテンツ識別情報が削除された場合でも、すべての機器のコンテンツ識別情報を集中的且つ効率的に管理することができる。
【００４４】
前記コンテンツ記録装置の通信手段は、前記コンテンツ記録手段に記憶されているコンテンツが削除される場合、削除されるコンテンツのコンテンツ識別情報及び自身の機器識別情報を含むコンテンツ削除指示を前記主機器へ送信し、前記主機器の通信手段は、前記コンテンツ記録装置の通信手段により送信されたコンテンツ削除指示を受信し、前記主機器の管理手段は、前記通信手段によりコンテンツ削除指示が受け付けられた場合、前記リソース記録手段に記録されている機器識別情報及びコンテンツ識別情報を参照してコンテンツ削除指示に含まれる機器識別情報に対応付けられているコンテンツ識別情報のうちコンテンツ削除指示に含まれるコンテンツ識別情報を削除することが好ましい。
【００４５】
この場合、従機器のコンテンツが自動的に削除されても、すべての機器のコンテンツ識別情報を集中的且つ効率的に管理することができる。
【００４６】
前記コンテンツ記録手段は、可換記録媒体にコンテンツを記録するとともに、当該可換記録媒体を識別するための可換記録媒体識別情報を取得する可換記録媒体記録手段を含み、前記コンテンツ記録装置のリソース記録手段は、前記コンテンツ識別情報として前記可換記録媒体記録手段により取得された可換記録媒体識別情報をも記録し、前記リソース記録手段に可換記録媒体識別情報を記録している従機器の通信手段は、前記リソース記録手段に記録されている機器識別情報及び可換記録媒体識別情報を含むコンテンツ識別情報を前記主機器へ送信し、前記主機器の通信手段は、前記従機器の通信手段により送信された機器識別情報及び可換記録媒体識別情報を含むコンテンツ識別情報を受信し、前記主機器のリソース記録手段は、前記通信手段により受信された可換記録媒体識別情報を含むコンテンツ識別情報を機器識別情報に対応付けて記録することが好ましい。
【００４７】
この場合、可換記録媒体を識別するための可換記録媒体識別情報を機器ごとに整理して集中的且つ効率的に管理することができる。
【００４８】
前記コンテンツ記録装置のリソース記録手段は、前記コンテンツ識別情報として、コンテンツの著作権に関する著作権管理情報をさらに記録し、前記主機器のリソース記録手段は、前記著作権管理情報を含むコンテンツ識別情報を機器識別情報に対応付けて記録し、前記主機器の管理手段は、前記リソース記録手段に記録されている著作権管理情報を管理することが好ましい。
【００４９】
この場合、コンテンツの著作権に関する著作権管理情報を集中的且つ効率的に管理することができる。
【００５０】
前記著作権管理情報は、可換記録媒体に対するコンテンツの移動許可回数、移動許可期間及び移動許可時間のうち少なくとも一つの情報を含む移動制限情報を含み、前記主機器の管理手段は、前記リソース記録手段に記録されている移動制限情報を管理することが好ましい。
【００５１】
この場合、可換記録媒体に対するコンテンツの移動許可回数、移動許可期間及び移動許可時間のうち少なくとも一つの情報を含む移動制限情報を集中的且つ効率的に管理することができる。
【００５２】
前記著作権管理情報は、コンテンツの複製許可回数、複製許可世代数、複製許可期間及び複製許可時間のうち少なくとも一つの情報を含む複製制限情報を含み、前記主機器の管理手段は、前記リソース記録手段に記録されている複製制限情報を管理することが好ましい。
【００５３】
この場合、コンテンツの複製許可回数、複製許可世代数、複製許可期間及び複製許可時間のうち少なくとも一つの情報を含む複製制限情報を集中的且つ効率的に管理することができる。
【００５４】
前記複製制限情報は、コンテンツの複製を認めないコピー不可情報、コンテンツの自由な複製を認めるコピーフリー情報、コンテンツの複製を１世代のみ許可する１世代コピー許可情報、及びコンテンツの複製を１回のみ許可する１回コピー許可情報のうち少なくとも一つの情報を含むことが好ましい。
【００５５】
この場合、複製制限情報を詳細に分類して集中的且つ効率的に管理することができる。
【００５６】
前記著作権管理情報は、コンテンツの再生許可回数、再生許可期間及び再生許可時間のうち少なくとも一つの情報を含む再生制限情報を含み、前記主機器の管理手段は、前記リソース記録手段に記録されている再生制限情報を管理することが好ましい。
【００５７】
この場合、コンテンツの再生許可回数、再生許可期間及び再生許可時間のうち少なくとも一つの情報を含む再生制限情報を集中的且つ効率的に管理することができる。
【００５８】
前記従機器のうち一の機器は、コンテンツとして記録される番組の予約録画を設定するための予約設定情報を受け付ける予約受付手段をさらに備え、前記予約受付手段を備える従機器の通信手段は、前記予約受付手段により受け付けられた予約設定情報を前記主機器へ送信し、前記主機器の通信手段は、前記従機器の通信手段により送信された予約設定情報を受信し、前記主機器の管理手段は、前記通信手段により受信された予約設定情報と前記リソース記録手段に記録されている各機器のリソース情報とを参照して予約された番組を録画可能な従機器を検索し、前記主機器の通信手段は、前記管理手段により検索された従機器へ予約設定情報を送信することが好ましい。
【００５９】
この場合、複数の機器の中から予約された番組を録画可能な機器を検索して予約設定情報を送信することができるので、複数の機器の中から予約録画に適した機器に予約設定を自動的に行うことができる。
【００６０】
前記主機器は、前記予約受付手段により受け付けられた番組の放送時間の変更を検出する変更検出手段をさらに備え、前記主機器の管理手段は、前記変更検出手段により番組の放送時間の変更が検出された場合、前記リソース記録手段に記録されている各機器のリソース情報を参照して変更前の番組を記録する従機器が記録できない番組の部分を記録可能な他の従機器を検索し、前記主機器の通信手段は、変更前の番組を記録する従機器が記録できない番組の部分を記録するための変更後予約設定情報を前記管理手段により検索された他の従機器へ送信することが好ましい。
【００６１】
この場合、番組の放送時間が変更された場合でも、記録できない番組の部分を他の機器に自動的に録画することができるので、番組全体を確実に録画することができる。
【００６２】
前記主機器の管理手段により検索された従機器は、前記通信手段が前記主機器の通信手段からの予約設定情報を受信した後に、当該予約設定情報により特定される番組を録画できない状態となったことを検出する録画不能検出手段をさらに備え、前記録画不能検出手段を備える従機器の通信手段は、前記録画不能検出手段により番組を録画できない状態となったことが検出された場合、番組を録画できないことを通知するための録画不能通知を前記主機器へ送信し、前記主機器の通信手段は、前記従機器の通信手段により送信された録画不能通知を受信し、前記主機器の管理手段は、前記通信手段により録画不能通知を受信した場合、前記リソース記録手段に記録されている各機器のリソース情報を参照して録画不能通知を送信した従機器が記録できない番組の全部又は部分を記録可能な他の従機器を検索し、前記主機器の通信手段は、録画不能通知を送信した従機器が記録できない番組の全部又は部分を記録するための録画設定情報を前記他の従機器へ送信することが好ましい。
【００６３】
この場合、予約設定を受け付けた機器が番組を録画できない状態となった場合でも、記録できない番組の全部又は部分を他の機器に自動的に録画することができるので、番組全体を確実に録画することができる。
【００６４】
前記録画不能通知を送信した従機器及び前記他の従機器は、録画する番組のコマーシャルを検出するコマーシャル検出手段をさらに備え、前記録画不能通知を送信した従機器は、前記コマーシャル検出手段により検出されたコマーシャル期間中に番組の記録動作を停止し、前記他の従機器は、前記コマーシャル検出手段により検出されたコマーシャル期間中に番組の記録動作を開始することが好ましい。
【００６５】
この場合、記録された番組の継ぎ目がコマーシャル期間中に設定されるので、記録された番組をシームレスに再生することができる。
【００６６】
前記主機器の管理手段は、前記複数の機器のうち一の機器に番組の一部を記録させ且つ他の機器に番組の残りの部分を記録させた場合、前記一の機器及び前記他の機器のうち一方に他方が記録している番組の部分を移動させることが好ましい。
【００６７】
この場合、番組が分割して記録された場合でも、自動的に一つにまとめて記録することができる。
【００６８】
前記複数の機器は、コンテンツを記録するコンテンツ記録手段を備える第１及び第２のコンテンツ記録装置を含み、前記主機器の管理手段は、コンテンツを記録させる際に、前記第１のコンテンツ記録装置に当該コンテンツを主コンテンツとして記録させ、前記第２のコンテンツ記録装置に当該コンテンツを従コンテンツとして記録させ、前記コンテンツ識別情報は、主コンテンツを特定するための主コンテンツ識別情報と、従コンテンツを特定するための従コンテンツ識別情報とを含み、前記主機器のリソース記録手段は、前記主コンテンツ識別情報及び従コンテンツ識別情報を用いてコンテンツが主コンテンツであるか又は従コンテンツであるかを識別可能な状態でコンテンツ識別情報を機器識別情報に対応付けて記録することが好ましい。
【００６９】
この場合、同一内容のコンテンツを主コンテンツ及び従コンテンツとして記録することができるので、一方を他方のバックアップとして使用することができる。
【００７０】
前記主機器の管理手段は、前記主コンテンツを第１の記録フォーマットで記録させるとともに、前記従コンテンツを前記第１の記録フォーマットと異なる第２の記録フォーマットで記録させることが好ましい。
【００７１】
この場合、同一内容のコンテンツが互いに異なる記録フォーマットで記録されるので、各記録フォーマットに適した種々の記録媒体を使用することができる。
【００７２】
前記主機器の管理手段は、前記主コンテンツが再生不能となった場合、前記従コンテンツから作成した主コンテンツを再度記録させ、前記従コンテンツが再生不能となった場合、前記主コンテンツから作成した従コンテンツを再度記録させることが好ましい。
【００７３】
この場合、主コンテンツ及び従コンテンツのうち一方が再生不能となった場合でも、一方から他方を作成して復元することができる。
【００７４】
前記主機器の管理手段は、前記主コンテンツ及び前記従コンテンツの一方に対するユーザからの操作指示を受け付けている場合、他方に対するユーザの操作指示を受け付けないように前記複数の機器を制御することが好ましい。
【００７５】
この場合、主コンテンツ及び従コンテンツのうち一方がユーザによって操作されているときに他方は操作不能となるため、ユーザに対して一つのコンテンツのみが記録されているように見せることができる。
【００７６】
前記複数の機器のうち少なくとも一の機器は、可換記録媒体にコンテンツを記録可能な可換記録媒体記録装置を含み、前記主機器の管理手段は、前記主コンテンツ及び前記従コンテンツの一方を前記可換記録媒体記録装置の可換記録媒体へ移動する際、前記主コンテンツ及び前記従コンテンツをともに移動させることが好ましい。
【００７７】
この場合、主コンテンツ及び従コンテンツの一方を可換記録媒体へ移動する場合でも、主コンテンツ及び従コンテンツがともに移動されるため、ユーザに対して一つのコンテンツのみが記録されているように見せることができる。
【００７８】
前記複数の機器のうち少なくとも一の機器は、可換記録媒体にコンテンツを記録可能な可換記録媒体記録装置を含み、前記主機器の管理手段は、前記主コンテンツ及び前記従コンテンツの一方を前記可換記録媒体記録装置の可換記録媒体へ移動する際、他方を削除させることが好ましい。
【００７９】
この場合、主コンテンツ及び従コンテンツの一方を可換記録媒体へ移動する場合でも、他方が削除されるため、主コンテンツと従コンテンツとが分離されて使用されることを防止することができる。
【００８０】
前記複数の機器のうち少なくとも一の機器は、可換記録媒体にコンテンツを記録可能な可換記録媒体記録装置を含み、前記主機器の管理手段は、前記主コンテンツ及び前記従コンテンツの一方を前記可換記録媒体記録装置の可換記録媒体へ移動した場合、他方に対するユーザの操作指示を受け付けないように前記複数の機器を制御することが好ましい。
【００８１】
この場合、主コンテンツ及び従コンテンツの一方を可換記録媒体へ移動する場合でも、他方に対するユーザの操作が受け付けられないため、ユーザに対して一つのコンテンツのみが記録されているように見せることができる。
【００８２】
前記複数の機器のうち少なくとも一の機器は、コンテンツを再生して再生ストリームを出力するコンテンツ再生手段を備えるコンテンツ再生装置を含み、前記主機器の管理手段は、前記ネットワークを介して前記コンテンツ再生装置から出力される再生ストリームを受信する機器が再生ストリームを用いたコンテンツの記録又は提示を行う場合、前記コンテンツ再生装置から出力される再生ストリームの送信速度を変化させない範囲で前記ネットワークを使用するように他の機器を制御することが好ましい。
【００８３】
この場合、リアルタイム性が要求されるコンテンツの記録又は提示用に送信されている再生ストリームを他のストリームより優先して送信することができるので、ネットワークのトラフィックを有効に活用してコンテンツの記録又は提示を安定に行うことができる。
【００８４】
前記通信手段は、機器本体に対して着脱可能に構成されたアダプタ手段に内蔵されることが好ましい。
【００８５】
この場合、機器本体に対するアダプタ手段の装着により、上記の各機能を実現することができるとともに、スタンドアローンで使用する場合はアダプタ手段が不要となるため、機器本体のコストを低減することができる。
【００８６】
前記通信手段は、コンテンツを送信する場合に当該コンテンツを暗号化する暗号化手段と、暗号化されたコンテンツを復号化する復号化手段とをさらに含むことが好ましい。
【００８７】
この場合、機器間のコンテンツ通信を暗号化して行うことができ、コンテンツの秘匿性を向上することができる。
【００８８】
前記主機器は、コンテンツの視聴許可を得るためのコンテンツ視聴認証処理を実行する認証手段と、前記認証手段によるコンテンツ視聴認証が完了した後、コンテンツをデコードするデコード手段とをさらに備え、前記主機器の暗号化手段は、前記デコード手段によりデコードされたコンテンツを暗号化し、前記主機器の通信手段は、暗号化された暗号化コンテンツを従機器へ送信し、前記従機器の通信手段は、前記主機器の通信手段から送信された暗号化コンテンツを受信し、前記従機器の復号化手段は、前記通信手段により受信された暗号化コンテンツを復号化することが好ましい。
【００８９】
この場合、主機器の認証処理により従機器へコンテンツを配信することができ、家庭内で複数の機器を使用する場合の認証処理を簡便化することができる。
【００９０】
本発明に係る機器管理方法は、所定のネットワークを介して相互に通信可能に接続された一の主機器及び少なくとも一以上の従機器を用いて、画像データ及び音声データのうち少なくとも一方を含むコンテンツの再生及び記録のうち少なくとも一方に関連する機器のリソース情報を管理する機器管理方法であって、前記従機器が、自身のリソース記録手段に記録されている自身のリソース情報を前記主機器へ送信するステップと、前記主機器が、前記従機器から送信されたリソース情報を受信するステップと、前記主機器が、自身のリソース情報を記録しているリソース記録手段に受信した従機器のリソース情報を機器ごとに記録するステップと、前記主機器が、前記リソース記録手段に記録されている各機器のリソース情報を管理するステップとを含むものである。
【００９１】
本発明に係る機器管理方法では、従機器に記録されている自身のリソース情報が主機器へ送信され、主機器において、送信されたリソース情報が受信され、受信された従機器のリソース情報が機器ごとに記録され、記録されている各機器のリソース情報が集中的に管理されるので、各機器のリソース情報を用いて主機器が従機器の動作を制御することができ、コンテンツの再生及び記録のうち少なくとも一方に関連する機器のリソース情報を集中的に管理して複数の機器を協調的且つ効率的に動作させることが可能となる。
【００９２】
本発明に係る機器管理装置は、所定のネットワークを介して複数の機器と相互に通信可能に接続され、画像データ及び音声データのうち少なくとも一方を含むコンテンツの再生及び記録のうち少なくとも一方に関連する機器のリソース情報を管理する主機器又は主機器により制御される従機器として動作する機器管理装置であって、前記従機器として動作するときは自身のリソース情報を記録するリソース記録手段と、前記従機器として動作するときは前記リソース記録手段に記録されている自身のリソース情報を前記主機器へ送信する通信手段とを備え、前記通信手段は、前記主機器として動作するときは前記従機器の通信手段により送信されたリソース情報を受信し、前記リソース記録手段は、前記主機器として動作するときは前記通信手段により受信された従機器のリソース情報を機器ごとに記録し、前記主機器として動作するときは前記リソース記録手段に記録されている各機器のリソース情報を管理する管理手段をさらに備えるものである。
【００９３】
本発明に係る機器管理装置は、従機器に記録されている自身のリソース情報が主機器へ送信され、主機器において、送信されたリソース情報が受信され、受信された従機器のリソース情報が機器ごとに記録され、記録されている各機器のリソース情報が集中的に管理されるので、各機器のリソース情報を用いて主機器が従機器の動作を制御することができ、コンテンツの再生及び記録のうち少なくとも一方に関連する機器のリソース情報を集中的に管理して複数の機器を協調的且つ効率的に動作させることが可能となる。また、主機器又は従機器として動作することができるので、機器を増設することにより機器管理システムを構築することができ、機器管理システムを家庭内に容易に構築することができる。
【発明の効果】
【００９４】
本発明によれば、従機器に記録されている自身のリソース情報が主機器へ送信され、主機器において、送信されたリソース情報が受信され、受信された従機器のリソース情報が機器ごとに記録され、記録されている各機器のリソース情報が集中的に管理されるので、各機器のリソース情報を用いて主機器が従機器の動作を制御することができ、コンテンツの再生及び記録のうち少なくとも一方に関連する機器のリソース情報を集中的に管理して複数の機器を協調的且つ効率的に動作させることが可能となる。
【発明を実施するための最良の形態】
【００９５】
以下、本発明に係る機器管理システムについて図面を参照しながら説明する。図１は、本発明の一実施の形態による機器管理システムの構成を示すブロック図である。
【００９６】
図１に示す機器管理システムは、通信装置１、アンテナ２、主機器又は従機器となる可換記録媒体記録装置３，５及び可換記録媒体再生装置７並びにこれらに接続されるモニタ４，６，８を備え、画像データ及び音声データのうち少なくとも一方を含むコンテンツデータの再生及び記録に関連する機器のリソース情報を管理する。なお、本明細書では、コンテンツデータを適宜「コンテンツ」と簡略して表現する。
【００９７】
通信装置１、可換記録媒体記録装置３，５及び可換記録媒体再生装置７は、宅内ネットワーク９を介して相互に通信可能に接続される。通信装置１はネットワーク５３を介して情報提供サーバ５１と相互に通信可能に接続される。情報提供サーバ５１と放送局５２とは、専用回線又は汎用ネットワーク等を介して相互に通信可能に接続される。
【００９８】
宅内ネットワーク９として、ＩＥＥＥ１３９４、Ｅｔｈｅｒｎｅｔ（登録商標）、ホームバス規格ＨＢＳ、ＥＣＨＯＮＥＴ（Energy Conservation and Homecare Network）規格等に適合した有線又は無線ＬＡＮ（Local Area Network）等が用いられる。ネットワーク５３として、例えば、インターネット、公衆電話回線等が用いられる。
【００９９】
可換記録媒体記録装置３，５及び可換記録媒体再生装置７のうち一の機器は、これらの機器のリソース情報を管理する主機器となり、他の機器は主機器により制御される従機器となる。なお、主機器及び従機器となる機器及びその数は上記の例に特に限定されず、テレビジョン等の表示装置を用いたり、４台以上の機器を用いる等の種々の変更が可能である。また、主機器が従機器としての動作を可能な場合、主機器は従機器としても動作することができる。
【０１００】
ここで、２以上の機器がある場合に、いずれの機器が主機器となるかは、ユーザが選択したり、最も高機能の機器を自動的に選択する等の種々の方法を適用することができる。また、後述するネットワークアダプタ２５が機器本体に装着された場合に、制御部２０は、ネットワークアダプタ２５を用いて宅内ネットワーク９に接続される他の機器から主機器を探索し、自リソース情報記録部４２に記録されているリソース情報を探索された主機器に送信するようにしてもよい。
【０１０１】
通信装置１は、モデム等から構成され、ネットワーク５３を介して情報提供サーバ５１が提供する番組ごとに受信チャンネル、番組内容及び番組時間を含む電子番組情報を取得し、宅内ネットワーク９を介して可換記録媒体記録装置３，５へ電子番組情報を送信する。アンテナ２は、放送局５２から伝送される電波を受信して番組等のコンテンツを可換記録媒体記録装置３，５へ出力する。可換記録媒体記録装置３，５は、取得した電子番組情報に基づいてユーザにより予約された番組を可換記録媒体又は固定記録媒体に録画する。モニタ４，６，８は、可換記録媒体記録装置３，５及び可換記録媒体再生装置７により再生されるコンテンツを表示してユーザに提示する。
【０１０２】
図２は、図１に示す可換記録媒体記録装置３の構成を示すブロック図である。なお、図１に示す可換記録媒体記録装置５も可換記録媒体記録装置３と同様に構成されているので、詳細な説明は省略する。
【０１０３】
図２に示す可換記録媒体記録装置３は、チューナ１１、デコーダ１２、記録部１３、記録及び再生インターフェース部１４、可換記録媒体記録部１５、固定記録媒体記録部１６、メモリカード記録部１７、再生部１８、出力部１９、制御部２０、操作部２１、リソース情報記録部２２、電源切り替え部２３、電源２４、ネットワークアダプタ２５及び認証部２６を備える。
【０１０４】
チューナ１１は、アンテナ２に接続されており、アンテナ２が受信した放送電波から、操作部２１を用いてユーザが選択したチャンネルの番組データを抽出してデコーダ１２へ出力する。なお、本明細書では、番組データを適宜「番組」と簡略して表現する。デコーダ１２は、デジタルＴＶ放送による番組を受信した場合に用いられ、圧縮符号化された形式で受信された番組を復号化して記録部１３及び出力部１９へ出力する。出力部１９は、番組をモニタ４へ出力して表示させる。
【０１０５】
認証部２６は、コンテンツの視聴許可を得るためのコンテンツ視聴認証処理を実行し、例えば、Ｂ−ＣＡＳカードが挿入されている場合にＢＳデジタルＴＶ放送の視聴認証処理を実行し、その後、デコーダ１２は、圧縮符号化された形式で受信された番組を復号化して記録部１３及び出力部１９へ出力する。
【０１０６】
通常、宅内ネットワークには、汎用のＥｔｈｅｒｎｅｔ（登録商標）等が用いられるが、本実施の形態では、簡略化してコントロールバスＣＢ及びストリームバスＳＢの２種類のバスにより宅内ネットワーク９が構成されるものとして説明する。宅内ネットワーク９を構成するコントロールバスＣＢは、主機器及び従機器間で種々の制御信号を伝送するために使用され、ストリームバスＳＢは、主機器及び従機器間で種々のコンテンツを伝送するために使用される。ネットワークアダプタ２５は、機器本体に対して着脱可能に構成され、宅内ネットワーク９のコントロールバスＣＢ及びストリームバスＳＢに接続される。
【０１０７】
ネットワークアダプタ２５は、制御部２０とコントロールバスＣＢを介して他の機器の制御部２０との間で制御信号を送受信し、また、他の機器からストリームバスＳＢを介して送信されたコンテンツを受信して記録部１３へ送信し、再生部１８から出力されるコンテンツをストリームバスＳＢを介して他の機器へ送信する。
【０１０８】
記録部１３は、記録及び再生インターフェース部１４を介して可換記録媒体記録部１５、固定記録媒体記録部１６及びメモリカード記録部１７へコンテンツを出力し、記録動作を制御する。例えば、可換記録媒体記録部１５としてはＤＶＤドライブが用いられ、固定記録媒体記録部１６としてはハードディスクドライブが用いられ、メモリカード記録部１７としてはメモリカードリーダー・ライターが用いられる。また、記録用の可換記録媒体として、例えば、ＤＶＤ−ＲＡＭ、ＤＶＤ−Ｒ、ＣＤ−ＲＷ、ＣＤ−Ｒ、ＰＤ（Phase change rewritable Disk）、Blu-ray Disk（ブルーレイディスク）等の光ディスク、ＶＨＳ等のビデオテープ等が用いられ、固定記録媒体としては、ハードディスク等が用いられ、メモリカードとしては、半導体メモリ等から構成されるＳＤ（Secure Digital）メモリカード等が用いられる。また、再生用の可換記録媒体として、上記光ディスクに加えて、例えば、ＤＶＤ−ＲＯＭ、ＣＤ−ＲＯＭ等が用いられる。なお、可換記録媒体記録装置３が備える記録部は、上記の例に特に限定されず、種々の変更が可能である。
【０１０９】
また、記録部１３は、ネットワークアダプタ２５を介して通信装置１により取得された電子番組情報を参照して可換記録媒体記録部１５、固定記録媒体記録部１６及びメモリカード記録部１７に記録されるコンテンツのコンテンツ識別情報を生成して制御部２０へ出力する。
【０１１０】
操作部２１は、ユーザの操作指示を受け付けて制御部２０へ出力する。例えば、操作部２１は、コンテンツとして記録される番組の予約録画を設定するための予約設定情報を受け付けて制御部２０へ出力する。また、操作部２１は、ネットワークアダプタ２５が主機器から予約設定情報を受信した後に、当該予約設定情報により特定される番組を録画できない状態となったことを検出して主機器の制御部２０に通知する。
【０１１１】
さらに、記録部１３は、操作部２１により受け付けられた番組の放送時間の変更を検出して制御部２０に通知する。また、記録部１３は、録画する番組のコマーシャルを検出し、制御部２０は、コマーシャル期間中に番組の記録動作を停止又は開始する。
【０１１２】
再生部１８は、可換記録媒体記録部１５、固定記録媒体記録部１６及びメモリカード記録部１７により再生されたコンテンツを記録及び再生インターフェース部１４を介して受信して出力部１９及びネットワークアダプタ２５へ出力し、再生動作を制御する。記録及び再生インターフェース部１４は、記録部１３及び再生部１８と可換記録媒体記録部１５、固定記録媒体記録部１６及びメモリカード記録部１７とのインターフェースを行う。
【０１１３】
図３は、図２に示すネットワークアダプタ２５の構成を示すブロック図であり、ネットワークアダプタ２５は着脱可能であり、ネットワークアダプタ２５を装着することにより主機器及び従機器にネットワーク通信機能をもたらす。図３に示すように、ネットワークアダプタ２５は、通信コネクタ３１、多重化部３２、解読部３３及び暗号部３４を備える。通信コネクタ３１は、コントロールバスＣＢ及びストリームバスＳＢに接続され、コントロールバスＣＢから入力される制御信号を制御部２０へ出力するともに、制御部２０から出力される制御信号をコントロールバスＣＢへ出力する。また、通信コネクタ３１は、ストリームバスＳＢから入力されるコンテンツを多重化部３２へ出力するともに、多重化部３２から出力されるコンテンツをストリームバスＳＢへ出力する。解読部３３は、多重化部３２から出力される暗号化されたコンテンツを復号化して記録部１３及び再生部１８へ出力する。暗号部３４は、記録部１３及び再生部１８から出力されるコンテンツを暗号化して多重化部３２へ出力する。
【０１１４】
再び、図２を参照して、制御部２０は、ＲＯＭ（リードオンリメモリ）及びＲＡＭ（ランダムアクセスメモリ）等を備えるマイクロプロセッサ等から構成され、ＲＯＭに記録されている機器管理プログラムを実行することにより、リソース情報記録部２２に記録されているリソース情報を機器ごとに管理するとともに、記録部１３、記録及び再生インターフェース部１４、再生部１８、操作部２１及び電源切り替え部２３の動作を制御する。制御部２０は、ネットワークアダプタ２５を用いて他の機器との間で制御信号を送受信する。電源切り替え部２３は、電源２４の状態を切り替え、機器が通常動作を行うための通常電源状態と、通常電源状態より消費電力が低いスリープ状態とに切り替える。
【０１１５】
図４は、図２に示すリソース情報記録部２２の構成を示すブロック図である。図４に示すように、リソース情報記録部２２は、情報管理部４１、自リソース情報記録部４２、従機器リソース情報記録部４３及び可換記録媒体情報記録部４４を備える。情報管理部４１は、制御部２０の要求に応じて自リソース情報記録部４２、従機器リソース情報記録部４３及び可換記録媒体情報記録部４４からリソース情報を読み出すとともに、制御部２０から出力されるリソース情報を自リソース情報記録部４２、従機器リソース情報記録部４３及び可換記録媒体情報記録部４４に記録させる。
【０１１６】
自リソース情報記録部４２は、可換記録媒体記録装置３のリソース情報を記録する。従機器リソース情報記録部４３は、可換記録媒体記録装置３が主機器として動作するときに、従機器のリソース情報を記録する。可換記録媒体情報記録部４４は、可換記録媒体記録装置３が従機器として動作するときに、可換記録媒体記録装置３が使用した可換記録媒体を識別するための可換記録媒体識別情報と当該可換記録媒体の再生条件及び記録条件のうち少なくとも一方を含む使用条件情報とを記録し、可換記録媒体記録装置３が主機器として動作するときに、可換記録媒体記録装置３及び従機器が使用した可換記録媒体を識別するための可換記録媒体識別情報と当該可換記録媒体の使用条件情報とを記録する。
【０１１７】
ここで、機器のリソース情報は、各機器を識別するための機器識別情報、各機器においてユーザが利用可能な機能を特定するための機器リソース情報、操作部２１に対してユーザが設定した操作設定を特定するための操作設定情報、可換記録媒体記録部１５に装填されている可換記録媒体、固定記録媒体記録部１６内の固定記録媒体及びメモリカード記録部１７内のメモリカードに記録されているコンテンツを特定するためのコンテンツ識別情報、使用した可換記録媒体を識別するための可換記録媒体識別情報、使用した可換記録媒体の再生条件及び記録条件のうち少なくとも一方を含む使用条件情報等を含む。
【０１１８】
具体的には、機器識別情報としては、各機器固有の識別コード、宅内ネットワーク９上の各機器を特定するためのＭＡＣ（Media Access Control）アドレス等が該当し、機器リソース情報としては、可換記録媒体へのコンテンツ記録機能、可換記録媒体からのコンテンツ再生機能、固定記録媒体へのコンテンツ記録機能、固定記録媒体からのコンテンツ再生機能、メモリカードへのコンテンツ記録機能、メモリカードからのコンテンツ再生機能、予約録画機能、映像コンテンツ表示機能、音声コンテンツ出力機能、視聴認証機能等の各機能を特定するための識別コードや、固定記録媒体及び可換記録媒体の空容量、可換記録媒体の装填の有無、装填されている可換記録媒体を識別するための装填可換記録媒体情報等を特定するための識別コード等が該当し、操作設定情報としては、ユーザにより設定された受信チャンネルの設定を特定するためのチャンネル設定情報等が該当し、コンテンツ識別情報としては、電子番組情報等から得られた放送開始時間及び放送終了時間、番組タイトル、出演者の氏名等の番組内容情報、コンテンツの著作権に関する著作権管理情報、主コンテンツを特定し、実際にデータが記録されている記録媒体を特定する情報を含む主コンテンツ識別情報、従コンテンツを特定し、実際にデータが記録されている記録媒体を特定する情報を含む従コンテンツ識別情報等が該当する。
【０１１９】
また、著作権管理情報としては、可換記録媒体に対するコンテンツの移動許可回数、移動許可期間及び移動許可時間のうち少なくとも一つの情報を含む移動制限情報、コンテンツの複製許可回数、複製許可世代数、複製許可期間及び複製許可時間のうち少なくとも一つの情報を含む複製制限情報、コンテンツの再生許可回数、再生許可期間及び再生許可時間のうち少なくとも一つの情報を含む再生制限情報等が該当し、さらに、複製制限情報としては、コンテンツの複製を認めないコピー不可情報、コンテンツの自由な複製を認めるコピーフリー情報、コンテンツの複製を１世代のみ許可する１世代コピー許可情報、及びコンテンツの複製を１回のみ許可する１回コピー許可情報等が該当する。
【０１２０】
また、使用条件情報としては、光ピックアップのレーザーパワー最適化学習、記録パルス最適化学習、チルト最適化学習等により得られた再生条件情報及び記録条件情報等が該当する。
【０１２１】
図５は、図１に示す可換記録媒体再生装置７の構成を示すブロック図である。図５に示す可換記録媒体再生装置７は、再生インターフェース部１４ａ、再生部１８、出力部１９、制御部２０ａ、操作部２１、リソース情報記録部２２、電源切り替え部２３、電源２４及び可換記録媒体再生部２７を備える。なお、図５において、可換記録媒体再生装置７の各ブロックのうち図２に示す可換記録媒体再生装置３と同様の部分には同一符号を付して以下詳細な説明を省略する。
【０１２２】
再生インターフェース部１４ａは、再生部１８と可換記録媒体再生部２７とのインターフェースを行う。再生部１８は、可換記録媒体再生部２７により再生されたコンテンツを再生インターフェース部１４ａを介して受信して出力部１９及びネットワークアダプタ２５へ出力し、再生動作を制御する。例えば、可換記録媒体再生部２７としてはＤＶＤプレーヤが用いられ、再生用の可換記録媒体として、ＤＶＤ−ＲＯＭ、ＣＤ−ＲＯＭ等が用いられる。
【０１２３】
出力部１９は、再生部１８及びネットワークアダプタ２５から出力されるコンテンツをモニタ８へ出力して表示させる。制御部２０ａは、リソース情報記録部２２に記録されているリソース情報を機器ごとに管理するとともに、再生インターフェース部１４ａ、再生部１８、操作部２１及び電源切り替え部２３の動作を制御する。制御部２０ａは、ネットワークアダプタ２５を用いて他の機器との間で制御信号を送受信する。
【０１２４】
本実施の形態では、可換記録媒体記録装置３及びモニタ４、可換記録媒体記録装置５及びモニタ６、可換記録媒体再生装置７及びモニタ８が主機器、従機器、可換記録媒体駆動装置、又はコンテンツ再生装置の一例に相当し、リソース情報記録部２２がリソース記録手段の一例に相当し、ネットワークアダプタ２５が通信手段、接続手段、又はアダプタ手段の一例に相当し、制御部２０が管理手段の一例に相当する。
【０１２５】
また、電源切り替え部２３が電源切り替え手段の一例に相当し、操作部２１が機器リソース削除受付手段、操作手段、削除受付手段、予約受付手段、又は録画不能検出手段の一例に相当し、可換記録媒体記録部１５、固定記録媒体記録部１６及びメモリカード記録部１７がコンテンツ記録手段の一例に相当し、可換記録媒体記録装置３及びモニタ４並びに可換記録媒体記録装置５及びモニタ６がコンテンツ記録装置、第１及び第２のコンテンツ記録装置、又は可換記録媒体記録装置の一例に相当する。
【０１２６】
さらに、記録部１３が生成手段、変更検出手段、又はコマーシャル検出手段の一例に相当し、可換記録媒体記録部１５及びメモリカード記録部１７が可換記録媒体記録手段の一例に相当し、可換記録媒体記録部１５、固定記録媒体記録部１６、メモリカード記録部１７及び可換記録媒体再生部２７がコンテンツ再生手段の一例に相当し、暗号部３４が暗号化手段の一例に相当し、解読部３３が復号化手段の一例に相当し、認証部２６が認証手段の一例に相当し、デコーダ１２がデコード手段の一例に相当する。
【０１２７】
次に、上記のように構成された機器管理システムにおける種々の機器管理処理について説明する。図６は、図１に示す機器管理システムのリソース情報追加処理を説明するためのフローチャートである。
【０１２８】
図６に示すように、まず、ユーザが従機器（例えば、可換記録媒体記録装置５及びモニタ６）の電源をオンすると、ステップＳ１１において、電源切り替え部２３は、電源２４を通常電源状態に切り替え、従機器が起動する。
【０１２９】
次に、ステップＳ１２において、従機器の制御部２０は、自リソース情報記録部４２から従機器自身の機器識別情報を読み出し、ネットワークアダプタ２５を用いて機器識別情報とともに、従機器のリソース情報を追加するための機器追加要求を主機器（例えば、可換記録媒体記録装置３及びモニタ４）へ送信する。
【０１３０】
次に、ステップＳ１において、主機器のネットワークアダプタ２５は、機器識別情報及び機器追加要求を受信して制御部２０へ出力し、ステップＳ２において、制御部２０は、受信した機器識別情報が従機器リソース情報記録部４３に記録されているか否かを判断し、機器識別情報が記録されている場合はステップＳ６へ処理を移行し、機器識別情報が記録されていない場合はステップＳ３へ処理を移行する。
【０１３１】
機器識別情報が記録されていない場合、ステップＳ３において、制御部２０は、ネットワークアダプタ２５を用いてリソースリスト要求を従機器へ送信する。このとき、ステップＳ１３において、従機器のネットワークアダプタ２５は、リソースリスト要求を受信して制御部２０へ出力する。次に、ステップＳ１４において、制御部２０は、自リソース情報記録部４２から従機器自身の機器識別情報及びリソース情報を読み出してこれらを含むリソースリストを作成する。次に、ステップＳ１４において、制御部２０は、ネットワークアダプタ２５を用いてリソースリストを主機器へ送信する。
【０１３２】
次に、ステップＳ４において、主機器のネットワークアダプタ２５は、リソースリストを受信して制御部２０へ出力し、ステップＳ５において、制御部２０は、受信したリソースリストから従機器のリソース情報を従機器の機器識別情報に対応付けて従機器リソース情報記録部４３に記録してリソースリストを更新する。
【０１３３】
次に、ステップＳ６において、制御部２０は、ネットワークアダプタ２５を用いてリソースリスト更新完了を従機器へ送信する。ステップＳ２において機器識別情報が記録されていると判断された場合も同様である。このとき、ステップＳ１６において、従機器のネットワークアダプタ２５は、リソースリスト更新完了を受信して制御部２０へ出力し、ネットワークアダプタ２５は、宅内ネットワーク９への接続を切断する。このようにして、各従機器のリソース情報が追加され、主機器は全ての従機器のリソース情報を取得することができる。
【０１３４】
なお、上記のステップＳ１１の起動処理に代えて、ユーザが操作部２１を操作して従機器の電源状態を通常電源状態からスリープ状態へ切り替える場合、制御部２０が、操作部２１からスリープ状態切り替え指示を受け付け、又は、主機器が従機器の電源状態を通常電源状態からスリープ状態へ切り替える場合、制御部２０が、ネットワークアダプタ２５を介してスリープ状態切り替え指示を受け付け、その後、従機器のステップＳ１２〜Ｓ１５の処理及び主機器のステップＳ１〜Ｓ６の処理を実行し、ステップＳ１６において、従機器のネットワークアダプタ２５が、リソースリスト更新完了を受信して制御部２０へ出力し、電源切り替え部２３が、電源２４を通常電源状態からスリープ状態へ切り替えるようにしてもよい。この場合、従機器が通常電源状態からスリープ状態へ切り替えられても、従機器のリソース情報を確実に主機器へ送信することができ、従機器のリソース情報を確実に管理することができる。
【０１３５】
図７は、図１に示す機器管理システムのリソース更新処理を説明するためのフローチャートである。図７に示すように、まず、ステップＳ３１において、従機器（例えば、可換記録媒体記録装置５及びモニタ６）の制御部２０は、後述するコンテンツの記録、移動、複製等の処理により自リソース情報記録部４２に記憶されているリソース情報に変更があるか否かを判断し、リソース情報に変更がない場合はステップＳ３１を繰り返し、リソース情報に変更がある場合はステップＳ３２へ処理を移行する。
【０１３６】
リソース情報に変更がある場合、ステップＳ３２において、制御部２０は、ネットワークアダプタ２５を用いて従機器のリソース情報を更新するためのリソースリスト更新要求及び機器識別情報を主機器（例えば、可換記録媒体記録装置３及びモニタ４）へ送信する。
【０１３７】
次に、ステップＳ２１において、主機器のネットワークアダプタ２５は、機器識別情報及びリソースリスト更新要求を受信して制御部２０へ出力し、ステップＳ２２において、制御部２０は、受信したリソースリスト更新要求に応答して、ネットワークアダプタ２５を用いてリソースリスト要求を従機器へ送信する。以降、従機器のステップＳ３３〜Ｓ３６の処理及び主機器のステップＳ２３〜Ｓ２５の処理が、図６に示す従機器のステップＳ１３〜Ｓ１６の処理及び主機器のステップＳ４〜Ｓ６の処理と同様に行われる。このようにして、各従機器からリソースリスト更新要求に応じて主機器における従機器のリソース情報が更新され、主機器は全ての従機器のリソース情報を最新の状態で管理することができる。
【０１３８】
図８は、図１に示す機器管理システムの診断処理を説明するためのフローチャートである。図８に示すように、まず、ステップＳ４１において、主機器（例えば、可換記録媒体記録装置３及びモニタ４）の制御部２０は、ネットワークアダプタ２５を用いて従機器（例えば、可換記録媒体記録装置５及びモニタ６）へ起動要求を送信する。このとき、従機器のネットワークアダプタ２５は、電源２４が完全なオフ状態ではなく、スリープ状態にある場合、起動要求を受信して制御部２０へ出力する。次に、ステップＳ５２において、従機器の制御部２０は、電源切り替え部２３を用いて電源２４を通常電源状態に切り替え、その後、ステップＳ５３において、ネットワークアダプタ２５を用いて機器識別情報とともに起動完了を主機器へ送信する。
【０１３９】
一方、主機器の制御部２０は、ステップＳ４１の実行後、ステップＳ４２において、起動命令の送信後から所定時間が経過したか否かを判断し、所定時間が経過した場合はステップＳ４４へ処理を移行し、所定時間が経過していない場合はステップＳ４３へ処理を移行する。
【０１４０】
所定時間が経過していない場合、ステップＳ４３において、制御部２０は、ネットワークアダプタ２５を用いて従機器から起動完了を受信したか否かを判断し、起動完了を受信した場合はステップＳ４６へ処理を移行し、起動完了を受信していない場合はステップＳ４２を繰り返す。
【０１４１】
一方、所定時間が経過した場合、制御部２０は、ステップＳ４４において、起動完了を送信しなかった従機器のリソースリストすなわちリソース情報を従機器リソース情報記録部４３から削除し、さらに、ステップＳ４５において、起動完了を送信しなかった従機器のコンテンツリストすなわちコンテンツ識別情報のリストを従機器リソース情報記録部４３から削除する。
【０１４２】
その後、ステップＳ４６において、制御部２０は、上記の処理から起動している従機器を記憶して処理を終了する。このようにして、各従機器が起動可能か否かの診断処理が実行され、主機器は現在起動している従機器を管理することができる。
【０１４３】
図９は、図１に示す機器管理システムのリソース削除処理を説明するためのフローチャートである。図９に示すように、まず、ユーザが操作部２１を操作してリソース情報の削除を指示すると、ステップＳ７１において、従機器（例えば、可換記録媒体記録装置５及びモニタ６）の操作部２１は、リソース削除指示を受け付けて制御部２０へ通知する。
【０１４４】
次に、ステップＳ７２において、制御部２０は、ネットワークアダプタ２５を用いて従機器のリソース情報を削除するためのリソースリスト削除要求及び機器識別情報を主機器（例えば、可換記録媒体記録装置３及びモニタ４）へ送信する。
【０１４５】
このとき、ステップＳ６１において、主機器のネットワークアダプタ２５は、機器識別情報及びリソースリスト削除要求を受信して制御部２０へ出力し、ステップＳ６２において、制御部２０は、リソースリスト削除要求を送信した従機器のリソースリストすなわちリソース情報を従機器リソース情報記録部４３から削除し、さらに、ステップＳ６３において、リソースリスト削除要求を送信した従機器のコンテンツリストすなわちコンテンツ識別情報のリストを従機器リソース情報記録部４３から削除する。
【０１４６】
同様に、従機器では、ステップＳ７２の処理後に、ステップＳ７３において、制御部２０は、自身のリソースリストすなわちリソース情報を自リソース情報記録部４２から削除し、さらに、ステップＳ７４において、自身のコンテンツリストすなわちコンテンツ識別情報を自リソース情報記録部４２から削除する。
【０１４７】
次に、ステップＳ６４において、主機器の制御部２０は、ネットワークアダプタ２５を用いてリソースリスト削除完了を従機器へ送信する。このとき、ステップＳ７５において、従機器のネットワークアダプタ２５は、リソースリスト削除完了を受信して制御部２０へ出力し、ネットワークアダプタ２５は、宅内ネットワーク９への接続を切断する。このようにして、各従機器のリソースリスト削除要求に応じて従機器及び主機器のリソース情報が削除される。
【０１４８】
なお、従機器の固定記録媒体記録部１６等の記録領域が満杯となったとき、新たなコンテンツを記録するため、記録時刻の古いコンテンツ等から自動的に削除して新たな記録領域を確保する場合、上記のステップＳ７１及びＳ７２の処理に代えて、従機器の制御部２０が、ネットワークアダプタ２５を用いて従機器のリソース情報（削除するコンテンツのコンテンツ識別情報を含む）を削除するためのリソースリスト削除要求及び機器識別情報を主機器へ送信し、その後、主機器のステップ６１〜Ｓ６４の処理及び従機器のステップＳ７３〜Ｓ７５の処理を実行してもよい。この場合、従機器のコンテンツが自動的に削除されても、すべての機器のコンテンツ識別情報を集中的且つ効率的に管理することができる。
【０１４９】
図１０は、図１に示す機器管理システムの可換記録媒体使用条件共有処理を説明するためのフローチャートである。図１０に示すように、まず、ユーザが従機器（例えば、可換記録媒体記録装置５及びモニタ６）に可換記録媒体を装填すると、ステップＳ９１において、再生部１８は、可換記録媒体を再生して可換記録媒体の可換記録媒体識別情報を取得して制御部２０へ出力する。次に、ステップＳ９２において、制御部２０は、ネットワークアダプタ２５を用いて機器識別情報とともに可換記録媒体識別情報を主機器（例えば、可換記録媒体記録装置３及びモニタ４）へ送信する。
【０１５０】
次に、ステップＳ８１において、主機器のネットワークアダプタ２５は、機器識別情報及び可換記録媒体識別情報を受信して制御部２０へ出力し、ステップＳ８２において、制御部２０は、受信した可換記録媒体識別情報が可換記録媒体情報記録部４４に記録されているか否かを判断し、可換記録媒体識別情報が記録されている場合はステップＳ８６へ処理を移行し、可換記録媒体識別情報が記録されていない場合はステップＳ８３へ処理を移行する。
【０１５１】
可換記録媒体識別情報が記録されていない場合、ステップＳ８３において、制御部２０は、ネットワークアダプタ２５を用いて可換記録媒体の使用条件情報を要求するための使用条件情報要求を従機器へ送信する。このとき、ステップＳ９３において、従機器のネットワークアダプタ２５は、使用条件情報要求を受信して制御部２０へ出力する。次に、ステップＳ９４において、制御部２０は、再生部１８に装填されている可換記録媒体の使用条件情報を学習するように指示し、ステップＳ９４において、再生部１８は、可換記録媒体の使用条件情報を学習して取得し、制御部２０へ出力する。次に、ステップＳ９５において、制御部２０は、ネットワークアダプタ２５を用いて可換記録媒体識別情報とともに使用条件情報を主機器へ送信する。ここで、使用条件としては、例えば、ドライブ毎に学習値が異なる場合に対処するために使用される、基準ドライブの学習値と実行ドライブの学習値との差分情報等を含む録再環境情報、可換記録媒体毎の再生し易さ及び記録し易さ等を表すコンディション情報、可換記録媒体に何回上書きをしているかを表すオーバーライトカウント値等が該当する。
【０１５２】
次に、ステップＳ８４において、主機器のネットワークアダプタ２５は、可換記録媒体識別情報及び使用条件情報を受信して制御部２０へ出力し、ステップＳ８５において、制御部２０は、受信した使用条件情報を可換記録媒体識別情報に対応付けて可換記録媒体情報記録部４４に記録する。
【０１５３】
一方、ステップＳ９５の処理が完了した後、ステップＳ９７において、従機器の記録部１３は、ステップＳ９４で学習した使用条件を用いて可換記録媒体に所定のコンテンツを録画する。記録部１３の録画が終了した後、従機器においてステップＳ９８及びＳ９９の処理並びに主機器においてステップＳ８７〜Ｓ８９の処理が実行されるが、これらの処理については後述する。
【０１５４】
一方、ステップＳ８２において可換記録媒体識別情報が記録されていると判断された場合、ステップＳ８６において、制御部２０は、可換記録媒体情報記録部４４から可換記録媒体の使用条件情報を読み出し、ネットワークアダプタ２５を用いて可換記録媒体の使用条件情報を従機器へ送信する。このとき、ステップＳ９６において、従機器のネットワークアダプタ２５は、使用条件情報を受信して制御部２０へ出力する。次に、ステップＳ９７において、制御部２０は、使用条件情報を記録部１３へ出力し、記録部１３は使用条件を用いて可換記録媒体に所定のコンテンツを録画する。記録部１３の録画が終了した後、ステップＳ９８において、制御部２０は、録画したコンテンツのコンテンツ識別情報、機器識別情報及び可換記録媒体識別情報とともに録画が完了したことを通知するための録画完了を主機器へ送信する。なお、本例は、録画動作を例に説明しているが、再生部１８等を用いた再生動作も同様にして行われる。
【０１５５】
次に、ステップＳ８７において、主機器のネットワークアダプタ２５は、コンテンツ識別情報、機器識別情報及び可換記録媒体識別情報とともに録画完了を受信して制御部２０へ出力し、ステップＳ８８において、制御部２０は、受信したコンテンツ識別情報を、機器識別情報及び可換記録媒体識別情報に対応付けて従機器リソース情報記録部４３に記録してコンテンツ識別情報を追加する。
【０１５６】
次に、ステップＳ８９において、制御部２０は、ネットワークアダプタ２５を用いてコンテンツ識別情報追加完了を従機器へ送信する。このとき、ステップＳ９９において、従機器のネットワークアダプタ２５は、コンテンツ識別情報追加完了を受信して制御部２０へ出力し、スリープモードへ移行する。このようにして、各従機器の取得した可換記録媒体の使用条件及び可換記録媒体識別情報に対応付けられたコンテンツ識別情報が主機器において集中的に管理されるとともに、既に学習された使用条件が主機器において管理されている場合は、従機器は再度学習することなく、主機器から送信される使用条件を利用することができ、複数の機器間で可換記録媒体の使用条件を共有することができる。
【０１５７】
図１１は、図１に示す機器管理システムにおいて一の従機器からの要求に応じて他の従機器からコンテンツを転送して再生するコンテンツ転送再生処理を説明するためのフローチャートである。
【０１５８】
図１１に示すように、まず、ユーザが要求元従機器（例えば、可換記録媒体記録装置５及びモニタ６）を操作してコンテンツリストを要求すると、ステップＳ１０１において、要求元従機器の操作部２１は、コンテンツリスト要求を受け付けて制御部２０へ出力し、制御部２０は、ネットワークアダプタ２５を用いてコンテンツリスト要求を機器識別情報とともに主機器（例えば、可換記録媒体記録装置３及びモニタ４）へ送信する。
【０１５９】
次に、ステップＳ１１１において、主機器のネットワークアダプタ２５は、機器識別情報及びコンテンツリスト要求を受信して制御部２０へ出力し、ステップＳ１１２において、制御部２０は、受信したコンテンツリスト要求に応じて従機器リソース情報記録部４３に記録されているコンテンツ識別情報を機器識別情報とともに読み出し、コンテンツ識別情報及び機器識別情報を含むコンテンツリストを要求元従機器へネットワークアダプタ２５を用いて送信する。
【０１６０】
次に、ステップＳ１０２において、要求元従機器のネットワークアダプタ２５は、コンテンツリストを受信して制御部２０へ出力する。次に、ステップＳ１０３において、制御部２０は、受信したコンテンツリストを再生部１８及び出力部１９を用いてモニタ６に表示させる。このとき、ユーザが操作部２１を用いて複数の番組の中から一の番組を選択すると、ステップＳ１０４において、操作部２１は、ユーザが選択した番組を特定するためのコンテンツ識別情報を制御部２０へ出力してコンテンツが選択される。
【０１６１】
次に、ステップＳ１０５において、制御部２０は、ユーザが選択したコンテンツをコンテンツリストから検索してコンテンツ識別情報を特定するとともに、当該コンテンツを格納している従機器すなわち要求先従機器（例えば、可換記録媒体再生装置７及びモニタ８）の機器識別情報を特定する。次に、制御部２０は、ネットワークアダプタ２５を用いて機器識別情報及びコンテンツ識別情報とともにコンテンツの再生を要求する再生要求を主機器へ送信する。なお、上記のステップＳ１０３〜Ｓ１０６の処理は主機器において実行してもよく、また、ステップＳ１０６において、再生要求を要求元従機器から要求先従機器へ直接送信するようにしてもよい。
【０１６２】
次に、ステップＳ１１３において、主機器のネットワークアダプタ２５は、機器識別情報及びコンテンツ識別情報とともに再生要求を受信して制御部２０へ出力し、制御部２０は、従機器リソース情報記録部４３に記録されている著作権管理情報を参照して、再生要求があったコンテンツが再生可能か否か、例えば、当該コンテンツの再生可能回数が１以上か否かを判断する。再生可能回数が０の場合、制御部２０は、当該コンテンツのコンテンツ識別情報をコンテンツリストから削除し、再生可能回数が１以上の場合に、ネットワークアダプタ２５を用いてコンテンツ識別情報とともに再生要求を機器識別情報により特定される従機器すなわち要求先従機器へ送信する。このとき、ステップＳ１２１において、要求先従機器のネットワークアダプタ２５は、コンテンツ識別情報とともに再生要求を受信して制御部２０ａへ出力する。次に、ステップＳ１２２において、制御部２０ａは、再生準備が完了した後に、ネットワークアダプタ２５を用いて当該事実を通知する再生準備完了を要求元従機器へ送信する。なお、コンテンツが再生可能か否かの判断は、要求元従機器において実行していもよい。
【０１６３】
次に、ステップＳ１０７において、要求元従機器のネットワークアダプタ２５は、再生準備完了を受信して制御部２０へ出力し、ステップＳ１０８において、制御部２０は、ネットワークアダプタ２５を用いて再生指示を要求先従機器へ送信する。このとき、ステップＳ１２３において、要求先従機器のネットワークアダプタ２５は、再生指示を受信して制御部２０ａへ出力する。次に、ステップＳ１２４において、制御部２０ａは、ステップＳ１２１で取得したコンテンツ識別情報により特定されるコンテンツを、再生部１８を用いて再生し、ネットワークアダプタ２５を用いて再生ストリームを要求元従機器へ転送する。
【０１６４】
次に、ステップＳ１０９において、要求元従機器のネットワークアダプタ２５は、再生ストリームを受信して再生部１８へ出力し、再生部１８は、出力部１９を用いてモニタ６に再生された映像を表示させる。次に、ステップＳ１１０において、制御部２０は、コンテンツを１回再生してユーザに提示しているので、ネットワークアダプタ２５を用いて再生回数として１回を主機器へ送信する。このとき、ステップＳ１１４において、主機器のネットワークアダプタ２５は、再生回数（１回）を受信して制御部２０へ出力し、ステップＳ１１５において、制御部２０は、従機器リソース情報記録部４３に記録されている著作権管理情報のコンテンツ再生許可回数から１を減算してコンテンツ再生許可回数を更新する。
【０１６５】
このようにして、一の従機器からの要求に応じて他の従機器からコンテンツを転送して一の従機器で再生して表示することができ、複数の機器を効率よく使用することができる。また、著作権管理情報も主機器が集中的に管理しているため、正確な管理が可能となる。
【０１６６】
図１２は、図１に示す機器管理システムにおいて可換記録媒体記録装置である一の従機器からの要求に応じて他の従機器からコンテンツを移動するコンテンツ移動処理を説明するためのフローチャートである。なお、複製する場合も以下とほぼ同様である。
【０１６７】
図１２に示すように、まず、ユーザが移動先従機器（例えば、可換記録媒体記録装置３及びモニタ４）を操作して可換記録媒体へのコンテンツの移動を要求すると、移動先従機器及び主機器（例えば、可換記録媒体再生装置７及びモニタ８）により、ステップＳ１３１及びＳ１４１において、図１０に示すステップＳ８１〜Ｓ８６及びＳ９１〜Ｓ９６の使用条件取得処理が実行され、ステップＳ１３２及びＳ１４２において、図１１に示すステップＳ１０１〜Ｓ１０３及びＳ１１１〜Ｓ１１２のコンテンツリスト要求処理が実行される。
【０１６８】
次に、ユーザが操作部２１を用いて複数のコンテンツの中から一のコンテンツを選択すると、ステップＳ１３３において、移動先従機器の操作部２１は、ユーザが選択したコンテンツを特定するためのコンテンツ識別情報を制御部２０へ出力して移動対象となるコンテンツが選択される。
【０１６９】
次に、ステップＳ１３４において、制御部２０は、再生部１８を用いて可換記録媒体から著作権管理情報を読み出し、ユーザが選択したコンテンツが移動可能か否かを判定する。移動可能な場合、ステップＳ１３５において、ユーザが選択したコンテンツをコンテンツ識別情報から検索してコンテンツ識別情報を特定するとともに、当該コンテンツを格納している従機器すなわち移動元従機器（例えば、可換記録媒体記録装置５及びモニタ６）の機器識別情報を特定する。次に、ステップＳ１３６において、制御部２０は、ネットワークアダプタ２５を用いて機器識別情報及びコンテンツ識別情報とともにコンテンツの移動を要求する移動要求を主機器へ送信する。なお、上記のステップＳ１３３〜Ｓ１３６の処理は主機器において実行してもよい。
【０１７０】
次に、ステップＳ１４３において、主機器のネットワークアダプタ２５は、機器識別情報及びコンテンツ識別情報とともに移動要求を受信して制御部２０へ出力し、制御部２０は、ネットワークアダプタ２５を用いてコンテンツ識別情報とともに移動要求を機器識別情報により特定される従機器すなわち移動元従機器へ送信する。このとき、ステップＳ１５１において、移動元従機器のネットワークアダプタ２５は、コンテンツ識別情報とともに移動要求を受信して制御部２０へ出力する。次に、ステップＳ１５２において、制御部２０は、移動準備が完了した後に、ネットワークアダプタ２５を用いて当該事実を通知する移動準備完了を移動先従機器へ送信する。
【０１７１】
次に、ステップＳ１３７において、移動先従機器のネットワークアダプタ２５は、移動準備完了を受信して制御部２０へ出力し、ステップＳ１３８において、制御部２０は、ネットワークアダプタ２５を用いて移動開始指示を移動元従機器へ送信する。このとき、ステップＳ１５３において、移動元従機器のネットワークアダプタ２５は、移動開始指示を受信して制御部２０へ出力する。次に、ステップＳ１５４において、制御部２０は、ステップＳ１５１で取得したコンテンツ識別情報により特定されるコンテンツを、再生部１８を用いて再生し、ネットワークアダプタ２５を用いて再生ストリームを移動先従機器へ転送する。
【０１７２】
次に、ステップＳ１３９において、移動先従機器のネットワークアダプタ２５は、再生ストリームを受信して記録部１３へ出力し、記録部１３は、可換記録媒体記録部１５を用いてコンテンツを記録させる。次に、ステップＳ１４０において、制御部２０は、ネットワークアダプタ２５を用いて、コンテンツの移動が完了したことを通知するコンテンツ移動完了通知を移動元従機器へ送信するとともに、コンテンツを１回移動しているので、移動回数として１回を主機器へ送信する。
【０１７３】
このとき、ステップＳ１５５において、移動元従機器のネットワークアダプタ２５は、コンテンツ移動完了通知を受信して制御部２０へ出力し、制御部２０は、記録部１３を用いて、転送したコンテンツを消去する。なお、複製の場合は、移動元従機器におけるコンテンツの消去は行わない。
【０１７４】
また、ステップＳ１４４において、主機器のネットワークアダプタ２５は、移動回数（１回）を受信して制御部２０へ出力し、ステップＳ１４５において、制御部２０は、従機器リソース情報記録部４３に記録されている著作権管理情報のコンテンツ移動許可回数から１を減算してコンテンツ移動許可回数を更新する。このようにして、可換記録媒体記録装置である一の従機器からの要求に応じて他の従機器からコンテンツを転送して可換記録媒体に移動する場合でも、主機器が著作権管理情報を集中的に管理しているため、正確な管理が可能となる。
【０１７５】
図１３は、図１に示す機器管理システムにおいて可換記録媒体記録装置である一の従機器から他の従機器へコンテンツを移動するコンテンツ移動処理を説明するためのフローチャートである。なお、複製する場合も以下とほぼ同様である。
【０１７６】
図１３に示すように、まず、ユーザが移動元従機器（例えば、可換記録媒体記録装置５及びモニタ６）に装填されている可換記録媒体のコンテンツの移動先従機器（例えば、可換記録媒体記録装置３及びモニタ４）への移動を要求すると、移動元従機器及び主機器（例えば、可換記録媒体再生装置７及びモニタ８）により、ステップＳ１６１及びＳ１７１において、図１０に示すステップＳ８１〜Ｓ８６及びＳ９１〜Ｓ９６の使用条件取得処理が実行される。
【０１７７】
次に、ユーザが操作部２１を用いて複数のコンテンツの中から一のコンテンツを選択すると、ステップＳ１６２において、移動元従機器の操作部２１は、ユーザが選択したコンテンツを特定するためのコンテンツ識別情報を制御部２０へ出力して移動対象となるコンテンツが選択される。次に、ステップＳ１６３において、制御部２０は、再生部１８を用いて可換記録媒体から著作権管理情報を読み出し、ユーザが選択したコンテンツが移動可能か否かを判定する。移動可能な場合、ステップＳ１６４において、制御部２０は、ネットワークアダプタ２５を用いて機器リソース情報を要求する機器リソース要求を機器識別情報とともに主機器（例えば、可換記録媒体再生装置７及びモニタ８）へ送信する。
【０１７８】
次に、ステップＳ１７２において、主機器のネットワークアダプタ２５は、機器識別情報及び機器リソース要求を受信して制御部２０へ出力し、ステップＳ１７３において、制御部２０は、受信した機器リソース要求に応じて従機器リソース情報記録部４３に記録されている機器リソース情報を機器識別情報とともに読み出し、ネットワークアダプタ２５を用いて移動元従機器へ送信する。
【０１７９】
次に、ステップＳ１６５において、移動元従機器のネットワークアダプタ２５は、機器リソース情報及び機器識別情報を受信して制御部２０へ出力する。次に、ステップＳ１６６において、受信した機器リソース情報からコンテンツを移動することができる移動先従機器を検索して当該機器の機器識別情報を特定する。次に、ステップＳ１６７において、制御部２０は、ネットワークアダプタ２５を用いて機器識別情報及びコンテンツ識別情報とともにコンテンツの移動を要求する移動要求を移動先従機器へ送信する。
【０１８０】
次に、ステップＳ１８１において、移動先従機器のネットワークアダプタ２５は、コンテンツ識別情報とともに移動要求を受信して制御部２０へ出力する。次に、ステップＳ１８２において、制御部２０は、移動準備が完了した後に、ネットワークアダプタ２５を用いて当該事実を通知する移動準備完了を移動元従機器へ送信する。
【０１８１】
次に、ステップＳ１６８において、移動元従機器のネットワークアダプタ２５は、移動準備完了を受信して制御部２０へ出力し、ステップＳ１６９において、制御部２０は、ステップＳ１６２で選択されたコンテンツを、再生部１８を用いて再生するとともに記録部１３を用いて消去し、ネットワークアダプタ２５を用いて再生ストリームを移動先従機器へ転送する。
【０１８２】
次に、ステップＳ１８３において、移動先従機器のネットワークアダプタ２５は、再生ストリームを受信して記録部１３へ出力し、記録部１３は、可換記録媒体記録部１５を用いてコンテンツを記録させる。次に、ステップＳ１８４において、制御部２０は、コンテンツを１回移動しているので、ネットワークアダプタ２５を用いて移動回数として１回を主機器へ送信する。このとき、ステップＳ１７４において、主機器のネットワークアダプタ２５は、移動回数（１回）を受信して制御部２０へ出力し、ステップＳ１７５において、制御部２０は、従機器リソース情報記録部４３に記録されている著作権管理情報のコンテンツ移動許可回数から１を減算してコンテンツ移動許可回数を更新する。このようにして、可換記録媒体記録装置である一の従機器の可換記録媒体から他の従機器へコンテンツを転送して移動する場合でも、主機器が著作権管理情報を集中的に管理しているため、正確な管理が可能となる。
【０１８３】
図１４は、図１に示す機器管理システムにおいて一の従機器の予約録画設定に応じて他の従機器で録画を行う予約録画処理を説明するためのフローチャートである。図１４に示すように、まず、ユーザが設定従機器（例えば、可換記録媒体再生装置７及びモニタ８）の操作部２１を用いて予約録画の設定を行うと、ステップＳ１９１において、設定従機器の操作部２１は、予約録画設定情報を受け付けて制御部２０ａへ出力し、ステップＳ１９２において、制御部２０ａは、ネットワークアダプタ２５を用いて予約録画設定情報とともに予約録画を要求する予約録画要求を主機器（例えば、可換記録媒体記録装置３及びモニタ４）へ送信する。
【０１８４】
次に、ステップＳ２０１において、主機器のネットワークアダプタ２５は、予約録画設定情報とともに予約録画要求を受信して制御部２０へ出力し、制御部２０は、ステップＳ２０２において、予約録画設定情報に含まれる番組の開始時間及び終了時間から当該番組を記録するために必要なデータ容量を算出する。次に、制御部２０は、ステップＳ２０３において、従機器リソース情報記録部４３に記録されているリソース情報、例えば、固定記録媒体の空容量、可換記録媒体の装填の有無、可換記録媒体の空容量を参照して算出したデータ容量を録画可能な機器を検索し、ステップＳ２０４において、ネットワークアダプタ２５を用いて、検索された従機器すなわち録画従機器へ予約録画要求を送信する。
【０１８５】
次に、ステップＳ２１１において、録画従機器のネットワークアダプタ２５は、予約録画要求を受信して制御部２０へ出力する。次に、ステップＳ２１２において、制御部２０は、録画準備が完了した後に、ネットワークアダプタ２５を用いて当該事実を通知する予約録画準備完了を主機器へ送信する。
【０１８６】
次に、ステップＳ２０５において、主機器のネットワークアダプタ２５は、予約録画準備完了を受信して制御部２０へ出力し、ステップＳ２０６において、制御部２０は、ネットワークアダプタ２５を用いて予約録画設定情報を録画従機器へ送信する。このとき、ステップＳ２１３において、録画従機器のネットワークアダプタ２５は、予約録画設定情報を受信して制御部２０へ出力する。次に、ステップＳ２１４において、制御部２０は、予約録画設定情報を基に記録部１３に予約設定を行い、その後、ステップＳ２１５において、ネットワークアダプタ２５を用いて予約設定が完了したことを通知する予約設定完了を主機器及び設定従機器へ送信する。次に、ステップＳ２０７において、主機器のネットワークアダプタ２５は、予約設定完了を受信して制御部２０へ出力する。また、ステップＳ１９３において、設定従機器は、予約設定完了を受信する。
【０１８７】
その後、予約された番組の開始時間になると、ステップＳ２１６において、録画従機器の記録部１３は、予約録画設定情報に従って番組の録画を行い、必要に応じて図７に示すリソース更新処理が実行され（図示省略）、処理が終了される。このようにして、一の従機器で設定された予約録画設定に応じて他の従機器で予約録画を行うことが可能となる。
【０１８８】
次に、上記の予約録画処理が行われた後に番組の放送時間が変更された場合に、他の機器で録画を行う延長予約録画処理について説明する。図１５は、図１に示す機器管理システムにおいて番組の放送時間が変更された場合の延長予約録画処理を説明するためのフローチャートである。
【０１８９】
図１５に示すように、ステップＳ２０７において予約設定完了を受信した後、ステップＳ２３１において、主機器の記録部１３は、ネットワークアダプタ２５を用いて情報提供サーバ５１から電子番組情報を受信して番組の放送時間の変更を検出して制御部２０へ通知する。
【０１９０】
次に、ステップＳ２３２において、制御部２０は、番組の延長部分の画質（転送レート）、開始時間及び終了時間から番組の延長部分を記録するために必要なデータ容量を算出する。次に、制御部２０は、ステップＳ２３３において、算出したデータ容量を録画可能な機器を従機器リソース情報記録部４３に記録されているリソース情報を参照して検索し、ステップＳ２３４において、ネットワークアダプタ２５を用いて、検索された従機器すなわち変更後従機器へ延長予約録画要求を送信する。ここで、変更後従機器としては、例えば、可換記録媒体記録装置３及びモニタ４と同等の機器が図１に示す機器管理システムにさらに接続されている場合、当該機器が該当する。
【０１９１】
次に、ステップＳ２２１において、変更後従機器のネットワークアダプタ２５は、延長予約録画要求を受信して制御部２０へ出力する。次に、ステップＳ２２２において、制御部２０は、延長予約録画準備が完了した後に、ネットワークアダプタ２５を用いて当該事実を通知する延長予約録画準備完了を主機器へ送信する。
【０１９２】
次に、ステップＳ２３５において、主機器のネットワークアダプタ２５は、延長予約録画準備完了を受信して制御部２０へ出力し、ステップＳ２３６において、制御部２０は、ネットワークアダプタ２５を用いて番組の延長部分を録画するための延長予約録画設定情報を変更後従機器へ送信する。このとき、ステップＳ２２３において、変更後従機器のネットワークアダプタ２５は、延長予約録画設定情報を受信して制御部２０へ出力する。次に、ステップＳ２２４において、制御部２０は、延長予約録画設定情報を基に記録部１３に延長予約設定を行い、その後、ステップＳ２２５において、ネットワークアダプタ２５を用いて、延長予約設定が完了したことを通知する延長予約設定完了を主機器へ送信する。次に、ステップＳ２３７において、主機器のネットワークアダプタ２５は、延長予約設定完了を受信して制御部２０へ出力する。
【０１９３】
その後、予約された番組の延長部分の開始時間になると、ステップＳ２２６において、変更後従機器の記録部１３は、延長予約録画設定情報に従って番組の延長部分の録画を行い、図７に示すリソース更新処理が実行され（図示省略）、処理が終了される。このようにして、予約録画処理が行われた後に番組の放送時間が変更された場合でも、他の従機器により番組の延長部分を録画することができる。また、コンテンツリストにより通常の予約録画された番組と延長録画された番組とを一つのコンテンツとして管理し、ユーザに提示することができるので、ユーザは番組が複数の機器に跨って記録されていることを意識することなく視聴することができる。
【０１９４】
次に、前述の予約録画処理が行われた後に録画従機器が録画不能となった場合、例えば、録画従機器に対して優先度の高い操作指示（当該機器にしか記録されていないコンテンツの再生指示）等が行われた場合に、記録できない番組の全部又は部分の録画を他の従機器で行う予備録画処理について説明する。図１６及び図１７は、図１に示す機器管理システムにおいて録画従機器が録画不能となった場合の予備録画処理を説明するための第１及び第２のフローチャートである。
【０１９５】
図１６に示すように、ステップＳ２０７において主機器が予約設定完了を受信した後、ユーザが操作部２１を用いて優先度の高い操作指示をした場合、ステップＳ２６１において、録画従機器の操作部２１は、録画不能状態を検出して制御部２０へ通知し、ステップＳ２６２において、制御部２０は、ネットワークアダプタ２５を用いて録画不能通知を主機器へ送信する。なお、録画不能通知は、主機器が録画従機器に録画不能か否かを問い合わせ、この場合に録画従機器から送信するようにしてもよい。
【０１９６】
次に、ステップＳ２５１において、主機器のネットワークアダプタ２５は、録画不能通知を受信して制御部２０へ出力する。次に、ステップＳ２５２において、制御部２０は、番組の残り部分（記録できない番組の全部又は部分）の開始時間及び終了時間から番組の残り部分を記録するために必要なデータ容量を算出する。次に、制御部２０は、ステップＳ２５３において、算出したデータ容量を録画可能な機器を従機器リソース情報記録部４３に記録されているリソース情報を参照して検索し、ステップＳ２５４において、ネットワークアダプタ２５を用いて、予備録画要求を検索された従機器すなわち予備従機器へ送信する。ここで、予備従機器としては、例えば、可換記録媒体記録装置３及びモニタ４と同等の機器が図１に示す機器管理システムにさらに接続されている場合、当該機器が該当する。
【０１９７】
次に、ステップＳ２４１において、予備従機器のネットワークアダプタ２５は、予備録画要求を受信して制御部２０へ出力する。次に、ステップＳ２４２において、制御部２０は、予備録画準備が完了した後に、ネットワークアダプタ２５を用いて当該事実を通知する予備録画準備完了を主機器へ送信する。
【０１９８】
次に、ステップＳ２５５において、主機器のネットワークアダプタ２５は、予備録画準備完了を受信して制御部２０へ出力し、ステップＳ２５６において、制御部２０は、ネットワークアダプタ２５を用いて番組の残り部分を録画するための予備録画設定情報を予備従機器へ送信する。このとき、ステップＳ２４３において、予備従機器のネットワークアダプタ２５は、予備録画設定情報を受信して制御部２０へ出力する。次に、ステップＳ２４４において、制御部２０は、予備録画設定情報を基に記録部１３に予備録画設定を行い、その後、ステップＳ２４５において、ネットワークアダプタ２５を用いて、予備録画設定が完了したことを通知する予備録画設定完了を主機器へ送信する。次に、制御部２０は、ステップＳ２４６において、記録部１３を制御して予備録画を行い、予備録画終了後、ステップＳ２４７において、ネットワークアダプタ２５を用いて予備録画終了通知を主機器へ送信する。
【０１９９】
ここで、主機器では、ステップＳ２５７において、ネットワークアダプタ２５は、予備録画設定完了を受信して制御部２０へ出力する。次に、ステップＳ２５８において、制御部２０は、ネットワークアダプタ２５を用いて、録画停止可能状態になったことを通知するための録画停止可能通知を録画従機器へ送信する。
【０２００】
次に、ステップＳ２６３において、録画従機器のネットワークアダプタ２５は、録画停止可能通知を受信して制御部２０へ出力する。次に、制御部２０は、ステップＳ２６４において、記録部１３を制御して録画を終了させ、ステップＳ２６５において、ネットワークアダプタ２５を用いて録画終了通知を主機器へ送信する。
【０２０１】
次に、図１７を参照して、ステップＳ２８１において、主機器のネットワークアダプタ２５は、録画終了通知を受信して制御部２０へ出力する。その後、ステップＳ２８２において、ネットワークアダプタ２５は、予備録画録画終了通知を受信して制御部２０へ出力する。
【０２０２】
その後、予備従機器及び録画従機器において予備従機器の予備録画内容すなわち番組の残り部分を録画従機器へ移動可能な状態となった場合、ステップＳ２８３において、制御部２０は、ネットワークアダプタ２５を用いて、番組の残り部分を録画従機器へ移動することを要求する予備録画移動要求を予備従機器へ送信する。このとき、ステップＳ２７１において、予備従機器のネットワークアダプタ２５は、予備録画移動要求を受信して制御部２０へ出力する。次に、ステップＳ２７２，Ｓ２８４，Ｓ２９１において、図１２等に示すコンテンツ移動処理が行われ、番組の残り部分が予備従機器から録画従機器へ移動されて番組が一つにマージされる。このようにして、録画従機器が録画不能となった場合でも、他の従機器で残りの部分の録画を行うことができるとともに、残りの部分を自動的に移動して番組を一つの機器に記録することができる。
【０２０３】
図１８は、図１に示す機器管理システムにおいて一のコンテンツを主コンテンツ及び従コンテンツとして録画するバックアップ録画処理を説明するためのフローチャートである。図１８に示すように、まず、ユーザが主機器（例えば、可換記録媒体再生装置７及びモニタ８）の操作部２１を用いて一のコンテンツの録画設定を行うと、ステップＳ３１１において、主機器の操作部２１は、録画設定情報を受け付けて制御部２０ａへ出力し、ステップＳ３１２において、制御部２０ａは、従機器リソース情報記録部４３に記録されているリソース情報を参照して、録画設定情報により特定されるコンテンツを主コンテンツ及び従コンテンツとして録画可能な機器すなわち主コンテンツを録画する主録画従機器及び従コンテンツを録画する従録画従機器を検索する。
【０２０４】
次に、ステップＳ３１３において、制御部２０ａは、ネットワークアダプタ２５を用いて、主コンテンツを第１の記録フォーマット、例えば、ＭＰＥＧ２で録画することを要求する録画要求を主録画従機器（例えば、可換記録媒体記録装置３及びモニタ４）へ、従コンテンツを第２の記録フォーマット、例えば、ＭＰＥＧ４で録画することを要求する録画要求を従録画従機器（例えば、可換記録媒体記録装置５及びモニタ７）へそれぞれ送信する。
【０２０５】
ここで、主録画従機器では、ステップＳ３０１において、ネットワークアダプタ２５は、録画要求を受信して制御部２０へ出力する。次に、ステップＳ３０２において、制御部２０は、録画準備が完了した後に、ネットワークアダプタ２５を用いて当該事実を通知する録画準備完了を主機器へ送信する。同様に、従録画従機器でも、ステップＳ３２１において、ネットワークアダプタ２５は、録画要求を受信して制御部２０へ出力し、ステップＳ３２２において、制御部２０は、録画準備が完了した後に、ネットワークアダプタ２５を用いて当該事実を通知する録画準備完了を主機器へ送信する。
【０２０６】
次に、ステップＳ３１４において、主機器のネットワークアダプタ２５は、録画準備完了をそれぞれ受信して制御部２０へ出力し、ステップＳ３１５において、制御部２０は、ネットワークアダプタ２５を用いて録画設定情報を主録画従機器及び従録画従機器へそれぞれ送信する。
【０２０７】
このとき、主録画従機器では、ステップＳ３０３において、ネットワークアダプタ２５は、録画設定情報を受信して制御部２０へ出力する。次に、ステップＳ３０４において、制御部２０は、記録部１３を制御して可換記録媒体記録部１５を用いてコンテンツをＭＰＥＧ２で記録させて主コンテンツを録画する。録画が終了した後に、ステップＳ３０５において、制御部２０は、ネットワークアダプタ２５を用いて主コンテンツが可換記録媒体にＭＰＥＧ２で記録されたことを表すコンテンツ識別情報を主機器へ送信する。
【０２０８】
同様に、従録画従機器でも、ステップＳ３２３において、ネットワークアダプタ２５は、録画設定情報を受信して制御部２０へ出力する。次に、ステップＳ３２４において、制御部２０は、記録部１３を制御してメモリカード記録部１７を用いてコンテンツをＭＰＥＧ４で記録させて従コンテンツを録画する。録画が終了した後に、ステップＳ３２５において、制御部２０は、ネットワークアダプタ２５を用いて従コンテンツがメモリカードにＭＰＥＧ４で記録されたことを表すコンテンツ識別情報を主機器へ送信する。
【０２０９】
次に、ステップＳ３１６において、主機器のネットワークアダプタ２５は、各コンテンツ識別情報を受信して制御部２０ａへ出力し、制御部２０ａは、各コンテンツ識別情報を従機器リソース情報記録部４３に記録してコンテンツ識別情報を更新する。このようにして、同一内容のコンテンツを主コンテンツ及び従コンテンツとして記録し、一つのコンテンツ識別情報により管理を行う。本構成により主コンテンツ及び従コンテンツの一方を他方のバックアップとして使用することができる。
【０２１０】
図１９は、主コンテンツ及び従コンテンツの関係を説明するための概略図である。例えば、図１９に示すように、主機器のコンテンツリストにＭＰＥＧ２の主コンテンツ及びＭＰＥＧ４の従コンテンツが登録されている場合、主コンテンツはユーザが利用可能なコンテンツとして通常のファイルとして管理され、従コンテンツはユーザの操作指示を受け付けないように隠しファイル等として管理される。
【０２１１】
このとき、ＭＰＥＧ４の従コンテンツがＳＤカードに移動された場合、主機器のコンテンツリストにおいて、ＭＰＥＧ４の従コンテンツが削除され、ＭＰＥＧ２のコンテンツが従コンテンツに変更されるとともに隠しファイルとしてコンテンツリストにより管理され、ユーザの操作指示を受け付けない。また、ＭＰＥＧ２の主コンテンツがＤＶＤに移動された場合、主機器のコンテンツリストにおいて、ＭＰＥＧ２の主コンテンツが削除され、残りのＭＰＥＧ４の従コンテンツが隠しファイルとしてコンテンツリストにより管理され、ユーザの操作指示を受け付けない。なお、従コンテンツの数は、上記の例に特に限定されず、一つの主コンテンツに対して複数の従コンテンツを作成するようにしてもよい。
【０２１２】
図２０は、図１に示す機器管理システムにおいて従コンテンツが再生不能となった場合に主コンテンツから従コンテンツを復元するコンテンツ復元処理を説明するためのフローチャートである。なお、従コンテンツから主コンテンツを復元する場合も以下とほぼ同様である。
【０２１３】
図２０に示すように、まず、ステップＳ３５１において、従コンテンツが再生不能となった場合、従録画従機器の制御部２０は、ネットワークアダプタ２５を用いて従コンテンツが再生不能となったことを通知する従コンテンツ再生不能通知を主機器へ送信する。このとき、ステップＳ３４１において、主機器のネットワークアダプタ２５は、従コンテンツ再生不能通知を受信して制御部２０ａへ出力し、ステップＳ３４２において、制御部２０ａは、従機器リソース情報記録部４３に記録されているリソース情報を参照して、従コンテンツの主コンテンツを記録している機器すなわち主録画従機器を検索する。次に、ステップＳ３４３において、制御部２０ａは、ネットワークアダプタ２５を用いて、主コンテンツを従コンテンツに変換して従録画従機器へ転送することを要求する従コンテンツ送信要求を主録画従機器へ送信する。
【０２１４】
次に、ステップＳ３３１において、主録画従機器のネットワークアダプタ２５は、従コンテンツ送信要求を受信して制御部２０へ出力する。次に、ステップＳ３３２において、制御部２０は、再生部１８を制御して可換記録媒体記録部１５を用いて主コンテンツを再生するとともに従コンテンツへ変換する。次に、ステップＳ３３３において、制御部２０は、ネットワークアダプタ２５を用いて、従コンテンツを従録画従機器へ転送する。このとき、ステップＳ３５２において、従録画従機器のネットワークアダプタ２５は、従コンテンツを受信して記録部１３へ出力し、記録部１３は、メモリカード記録部１７を用いてメモリカードに従コンテンツを記録させる。このようにして、従コンテンツが再生不能となった場合でも、主コンテンツから従コンテンツを作成して復元することができる。
【０２１５】
図２１は、図１に示す機器管理システムにおいて従コンテンツがユーザからの操作指示を受け付けている場合に主コンテンツに対するユーザからの操作指示を拒否するコンテンツ操作制限処理を説明するためのフローチャートである。なお、主コンテンツがユーザからの操作指示を受け付けている場合に従コンテンツに対するユーザからの操作指示を拒否する場合も以下とほぼ同様である。
【０２１６】
図２１に示すように、従コンテンツがユーザからの操作指示を受け付けている場合、ステップＳ３８１において、従録画従機器の制御部２０は、ネットワークアダプタ２５を用いて従コンテンツがユーザからの操作指示を受け付けていることを通知する従コンテンツ操作通知を主機器へ送信する。このとき、ステップＳ３７１において、主機器のネットワークアダプタ２５は、従コンテンツ操作通知を受信して制御部２０ａへ出力し、ステップＳ３７２において、制御部２０ａは、従機器リソース情報記録部４３に記録されているリソース情報を参照して、従コンテンツの主コンテンツを記録している機器すなわち主録画従機器を検索する。次に、ステップＳ３７３において、制御部２０ａは、ネットワークアダプタ２５を用いて、主コンテンツに対するユーザからの操作指示を拒否することを要求する主コンテンツ操作不可要求を主録画従機器へ送信する。
【０２１７】
次に、ステップＳ３６１において、主録画従機器のネットワークアダプタ２５は、主コンテンツ操作不可要求を受信して制御部２０へ出力する。次に、ステップＳ３６２において、制御部２０は、主コンテンツに対するユーザからの操作指示を拒否するように操作部２１等を制御する。このようにして、従コンテンツがユーザによって操作されているときに主コンテンツは操作不能となるため、ユーザに対して一つのコンテンツのみが記録されているように見せることができる。
【０２１８】
図２２は、図１に示す機器管理システムにおいて主コンテンツを可換記録媒体へ移動するときに従コンテンツをともに移動させるコンテンツ一体移動処理を説明するためのフローチャートである。なお、従コンテンツを可換記録媒体へ移動するときに主コンテンツをともに移動させる場合も以下とほぼ同様である。
【０２１９】
図２２に示すように、まず、ユーザが主機器（例えば、可換記録媒体再生装置７及びモニタ８）の操作部２１を用いて主コンテンツの移動を指示した場合、ステップＳ４０１において、主機器の操作部２１は、主コンテンツ移動指令を受け付けて制御部２０ａへ出力し、制御部２０ａは、ネットワークアダプタ２５を用いて、可換記録媒体を装填された従機器すなわち可換従機器へ主コンテンツを移動することを要求する主コンテンツ移動要求を主録画従機器（例えば、可換記録媒体記録装置３及びモニタ４）へ送信する。ここで、可換従機器としては、例えば、可換記録媒体記録装置３及びモニタ４と同等の機器が図１に示す機器管理システムにさらに接続されている場合、当該機器が該当する。
【０２２０】
次に、ステップＳ３９１において、主録画従機器のネットワークアダプタ２５は、主コンテンツ移動要求を受信して制御部２０へ出力する。次に、ステップＳ３９２において、制御部２０は、再生部１８を制御して可換記録媒体記録部１５を用いて主コンテンツを再生し、ネットワークアダプタ２５を用いて主コンテンツを可換従機器へ転送する。このとき、ステップＳ４１１において、可換従機器のネットワークアダプタ２５は、主コンテンツを受信して記録部１３へ出力し、記録部１３は、可換記録媒体記録部１５を用いて可換記録媒体に主コンテンツを記録させる。主コンテンツの転送が終了した後、ステップＳ３９３において、制御部２０は、ネットワークアダプタ２５を用いて、主コンテンツの転送が終了したことを通知する主コンテンツ転送終了通知を主機器へ送信する。
【０２２１】
次に、ステップＳ４０２において、主機器のネットワークアダプタ２５は、主コンテンツ転送終了通知を受信して制御部２０ａへ出力する。次に、ステップＳ４０３において、制御部２０ａは、ネットワークアダプタ２５を用いて、可換従機器へ従コンテンツを移動することを要求する従コンテンツ移動要求を従録画従機器（例えば、可換記録媒体記録装置５及びモニタ６）へ送信する。
【０２２２】
次に、ステップＳ４２１において、従録画従機器のネットワークアダプタ２５は、従コンテンツ移動要求を受信して制御部２０へ出力する。次に、ステップＳ４２２において、制御部２０は、再生部１８を制御してメモリカード記録部１７を用いて従コンテンツを再生し、ネットワークアダプタ２５を用いて従コンテンツを可換従機器へ転送する。このとき、ステップＳ４１２において、可換従機器のネットワークアダプタ２５は、従コンテンツを受信して記録部１３へ出力し、記録部１３は、可換記録媒体記録部１５を用いて可換記録媒体に従コンテンツを記録させる。従コンテンツの転送が終了した後、ステップＳ４２３において、制御部２０は、ネットワークアダプタ２５を用いて、従コンテンツの転送が終了したことを通知する従コンテンツ転送終了通知を主機器へ送信する。
【０２２３】
次に、ステップＳ４０４において、主機器のネットワークアダプタ２５は、従コンテンツ転送終了通知を受信して制御部２０ａへ出力する。次に、ステップＳ４０５において、制御部２０ａは、主コンテンツ及び従コンテンツが可換従機器の可換記録媒体へ移動されたことを従機器リソース情報記録部４３に記録してコンテンツリストを更新する。このようにして、主コンテンツを可換記録媒体へ移動する場合でも、主コンテンツ及び従コンテンツがともに移動されるため、ユーザに対して一つのコンテンツのみが記録されているように見せることができる。
【０２２４】
図２３は、図１に示す機器管理システムにおいて主コンテンツを可換記録媒体へ移動する場合に従コンテンツを削除するコンテンツ削除処理を説明するためのフローチャートである。なお、従コンテンツを可換記録媒体へ移動する場合に主コンテンツを削除する場合も以下とほぼ同様である。
【０２２５】
図２３に示すステップＳ４３１〜Ｓ４３３，Ｓ４４１〜Ｓ４４２，Ｓ４５１の処理は、図２２に示すステップＳ３９１〜Ｓ３９３，Ｓ４０１〜Ｓ４０２，Ｓ４１１の処理と同様に実行され、これらの処理後に、ステップＳ４４３において、制御部２０ａは、ネットワークアダプタ２５を用いて、従コンテンツを削除することを要求する従コンテンツ削除要求を従録画従機器（例えば、可換記録媒体記録装置５及びモニタ６）へ送信する。
【０２２６】
次に、ステップＳ４６１において、従録画従機器のネットワークアダプタ２５は、従コンテンツ削除要求を受信して制御部２０へ出力する。次に、ステップＳ４６２において、制御部２０は、記録部１３を制御してメモリカード記録部１７を用いて従コンテンツを削除する。従コンテンツの削除が終了した後、ステップＳ４６３において、制御部２０は、ネットワークアダプタ２５を用いて従コンテンツの削除が終了したことを通知する従コンテンツ削除終了通知を主機器へ送信する。
【０２２７】
次に、ステップＳ４４４において、主機器のネットワークアダプタ２５は、従コンテンツ削除終了通知を受信して制御部２０ａへ出力する。次に、ステップＳ４４５において、制御部２０ａは、主コンテンツ及び従コンテンツを管理するコンテンツリストを更新し、従コンテンツの削除処理の結果を反映させる。このようにして、主コンテンツを可換記録媒体へ移動する場合でも、従コンテンツが削除されるため、主コンテンツと従コンテンツとが分離されて使用されることを防止することができる。
【０２２８】
図２４は、図１に示す機器管理システムにおいて主コンテンツを可換記録媒体へ移動したときに従コンテンツに対するユーザの操作を拒否するコンテンツ操作制限処理を説明するためのフローチャートである。なお、従コンテンツを可換記録媒体へ移動したときに主コンテンツに対するユーザの操作を拒否する場合も以下とほぼ同様である。
【０２２９】
図２４に示すステップＳ４７１〜Ｓ４７３，Ｓ４８１〜Ｓ４８２，Ｓ４９１の処理は、図２２に示すステップＳ３９１〜Ｓ３９３，Ｓ４０１〜Ｓ４０２，Ｓ４１１の処理と同様に実行され、これらの処理後に、ステップＳ４８３において、制御部２０ａは、従コンテンツに対するユーザからの操作指示を拒否するようにコンテンツリストを更新し、ネットワークアダプタ２５を用いて、従コンテンツに対するユーザからの操作指示を拒否することを要求する従コンテンツ操作不可要求を従録画従機器（例えば、可換記録媒体記録装置５及びモニタ６）へ送信する。このとき、従コンテンツを隠しファイルに変更し、ユーザに明示するコンテンツリストから従コンテンツを見えなくするようにしてもよい。
【０２３０】
次に、ステップＳ５０１において、従録画従機器のネットワークアダプタ２５は、従コンテンツ操作不可要求を受信して制御部２０へ出力する。次に、ステップＳ５０２において、制御部２０は、従コンテンツに対するユーザからの操作指示を拒否するように操作部２１等を制御する。このようにして、主コンテンツを可換記録媒体へ移動する場合において、対応する従コンテンツを操作不可にするようにコンテンツリストを主機器において更新して従コンテンツに対するユーザの操作が受け付けられないようにすることにより、ユーザに対して一つのコンテンツのみが記録されているように見せることができる。
【０２３１】
図２５は、図１に示す機器管理システムにおいて記録又は再生用に送信されている再生ストリームを他のストリームより優先して送信するコンテンツ送信制限処理を説明するためのフローチャートである。ここで、再生とは、画像データの表示又は音声データの出力等が該当し、ユーザへのコンテンツ提示のためにリアルタイム性が要求される状態を意味する。
【０２３２】
図２５に示すように、まず、ユーザが転送元従機器（例えば、可換記録媒体記録装置３及びモニタ４）の操作部２１を用いてコンテンツの転送を指示すると、ステップＳ５１１において、転送元従機器の制御部２０は、ネットワークアダプタ２５を用いて、記録、再生、複製等の転送目的とともにコンテンツの転送許可を要求する転送許可要求を主機器（例えば、可換記録媒体再生装置７及びモニタ８）へ送信する。
【０２３３】
次に、ステップＳ５２１おいて、主機器のネットワークアダプタ２５は、転送目的とともに転送許可要求を受信して制御部２０へ出力する。次に、ステップＳ５２２において、制御部２０は、転送目的が記録又は再生であるか否かを判断し、記録又は再生の場合はステップＳ５２３へ処理を移行し、その他の場合はステップＳ５２４へ処理を移行する。
【０２３４】
転送目的が記録又は再生である場合、ステップＳ５２３において、制御部２０ａは、ネットワークアダプタ２５を用いて転送許可を転送元従機器へ送信する。次に、ステップＳ５１２において、転送元従機器のネットワークアダプタ２５は、転送許可を受信して制御部２０へ出力する。次に、ステップＳ５１３において、制御部２０は、再生部１８を制御して可換記録媒体記録部１５を用いてコンテンツをリアルタイムに再生し、ネットワークアダプタ２５を用いてコンテンツを通常転送速度で転送先従機器へ転送する。このとき、ステップＳ５３１において、転送先従機器のネットワークアダプタ２５は、コンテンツを受信して記録部１３へ出力し、記録部１３は、可換記録媒体記録部１５を用いて可換記録媒体にコンテンツを確実に記録させる。
【０２３５】
一方、転送目的が記録及び再生でない場合、例えば、複製の場合、制御部２０ａは、ステップＳ５２４において、他の従機器が記録又は再生に宅内ネットワーク９を使用しているときは、転送目的が記録及び再生でない転送の優先度を下げるため、宅内ネットワーク９の現在のトラフィック量から通常転送速度より低い転送速度を算出し、ステップＳ５２５において、ネットワークアダプタ２５を用いて転送速度を転送元従機器へ送信する。なお、他の従機器が記録又は再生に宅内ネットワーク９を使用しておらず、転送帯域が空いている場合は、複製動作を早期に完了させるように使用可能な転送速度を通知する。
【０２３６】
次に、ステップＳ５１４において、転送元従機器のネットワークアダプタ２５は、転送速度を受信して制御部２０へ出力する。次に、制御部２０は、ステップＳ５１５において、コンテンツの転送速度を受信した転送速度に設定し、再生部１８を制御して可換記録媒体記録部１５を用いてコンテンツをリアルタイムに再生し、ステップＳ５１６において、ネットワークアダプタ２５を用いてコンテンツを設定された転送速度で転送先従機器へ転送する。このとき、ステップＳ５３２において、転送先従機器のネットワークアダプタ２５は、コンテンツを受信して記録部１３へ出力し、記録部１３は、可換記録媒体記録部１５を用いて可換記録媒体にコンテンツを複製する。
【０２３７】
このようにして、リアルタイム性が要求されるコンテンツの記録又は再生用に送信されている再生ストリームを他のストリームより優先して送信することができるので、宅内ネットワーク９のトラフィックを有効に活用してコンテンツの記録又は再生を安定に行うことができる。
【０２３８】
図２６は、図１に示す機器管理システムにおいてＢＳデジタル放送の受信時の認証処理を主機器で行った後に従機器へコンテンツを配信する主機器認証処理を説明するためのフローチャートである。図２６に示すように、主機器（例えば、可換記録媒体記録装置３及びモニタ４）の認証部２６にＢ−ＣＡＳカードが挿入されている場合、ステップ５４１において、主機器の認証部２６は、コンテンツの視聴許可を得るための認証処理を実行し、ステップ５４２において、デコーダ１２は、チューナ１１により受信された番組をデコードして記録部１３へ出力する。次に、ステップ５４３において、制御部２０は、記録部１３に復号された番組を暗号部３４へ出力させ、暗号部３４に番組を暗号化させる。次に、ステップ５４４において、主機器の制御部２０は、ネットワークアダプタ２５を用いて、暗号化された番組を従機器（例えば、可換記録媒体記録装置５及びモニタ６）へ送信する。
【０２３９】
次に、ステップＳ５５１において、従機器のネットワークアダプタ２５は、暗号化された番組を受信し、ステップＳ５５２において、制御部２０は、解読部３３に暗号化された番組を復号化させ、再生部１８へ出力させる。次に、ステップＳ５５３において、制御部２０は、再生部１８を制御して番組を再生させ、出力部１９はモニタ６に番組を表示させる。このようにして、主機器の認証処理により従機器へコンテンツを配信することができ、家庭内で複数の機器を使用する場合の認証処理を簡便化することができる。
【０２４０】
図２７は、図１に示す機器管理システムにおいて操作設定を機器間で共有する操作設定共有処理を説明するためのフローチャートである。図２７に示すように、ユーザが従機器（例えば、可換記録媒体記録装置５及びモニタ６）の操作設定、例えば、受信チャンネルの設定を操作部２１を用いて行うと、ステップＳ５７１において、操作部２１は、ユーザの操作設定を取得して制御部２０へ出力する。次に、制御部２０は、ステップＳ５７２において、取得した操作設定を操作設定情報として自リソース情報記録部４２に記録し、ステップＳ５７３において、操作設定情報を操作部２１等に設定する。次に、ステップＳ５７４において、制御部２０は、ネットワークアダプタ２５を用いて機器識別情報とともに操作設定情報を主機器（例えば、可換記録媒体記録装置３及びモニタ４）へ送信する。
【０２４１】
次に、ステップＳ５６１において、主機器のネットワークアダプタ２５は、機器識別情報及び操作設定情報を受信して制御部２０へ出力し、ステップＳ５６２において、制御部２０ａは、受信した操作設定情報を自リソース情報記録部４２及び従機器リソース情報記録部４３に記録し、ステップＳ５６３において、操作設定情報を自身の操作部２１等に設定する。次に、ステップＳ５６４において、制御部２０は、ネットワークアダプタ２５を用いて操作設定情報を他の従機器へ送信する。ここで、他の従機器としては、例えば、可換記録媒体記録装置３及びモニタ４と同等の機器が図１に示す機器管理システムにさらに接続されている場合、当該機器が該当する。
【０２４２】
次に、ステップＳ５８１において、他の従機器のネットワークアダプタ２５は、操作設定情報を受信して制御部２０へ出力し、制御部２０は、ステップＳ５８２において、取得した操作設定を操作設定情報として自リソース情報記録部４２に記録し、ステップＳ５８３において、操作設定情報を例えば操作部２１に設定する。このようにして、一の従機器において設定された操作設定を他の機器で利用することができ、ユーザインターフェースを統一することができる。
【産業上の利用可能性】
【０２４３】
本発明に係る機器管理システムは、コンテンツの再生及び記録のうち少なくとも一方に関連する機器のリソース情報を集中的に管理して複数の機器を協調的且つ効率的に動作させることができ、画像データ及び音声データのうち少なくとも一方を含むコンテンツの再生及び記録のうち少なくとも一方に関連する機器のリソース情報を管理する機器管理システム等として有用である。
【図面の簡単な説明】
【０２４４】
【図１】本発明の一実施の形態による機器管理システムの構成を示すブロック図である。
【図２】図１に示す可換記録媒体記録装置の構成を示すブロック図である。
【図３】図２に示すネットワークアダプタの構成を示すブロック図である。
【図４】図２に示すリソース情報記録部の構成を示すブロック図である。
【図５】図１に示す可換記録媒体再生装置の構成を示すブロック図である。
【図６】図１に示す機器管理システムのリソース情報追加処理を説明するためのフローチャートである。
【図７】図１に示す機器管理システムのリソース更新処理を説明するためのフローチャートである。
【図８】図１に示す機器管理システムの診断処理を説明するためのフローチャートである。
【図９】図１に示す機器管理システムのリソース削除処理を説明するためのフローチャートである。
【図１０】図１に示す機器管理システムの可換記録媒体使用条件共有処理を説明するためのフローチャートである。
【図１１】図１に示す機器管理システムにおいて一の従機器からの要求に応じて他の従機器からコンテンツを転送して再生するコンテンツ転送再生処理を説明するためのフローチャートである。
【図１２】図１に示す機器管理システムにおいて可換記録媒体記録装置である一の従機器からの要求に応じて他の従機器からコンテンツを移動するコンテンツ移動処理を説明するためのフローチャートである。
【図１３】図１に示す機器管理システムにおいて可換記録媒体記録装置である一の従機器から他の従機器へコンテンツを移動するコンテンツ移動処理を説明するためのフローチャートである。
【図１４】図１に示す機器管理システムにおいて一の従機器の予約録画設定に応じて他の従機器で録画を行う予約録画処理を説明するためのフローチャートである。
【図１５】図１に示す機器管理システムにおいて番組の放送時間が変更された場合の延長予約録画処理を説明するためのフローチャートである。
【図１６】図１に示す機器管理システムにおいて録画従機器が録画不能となった場合の予備録画処理を説明するための第１のフローチャートである。
【図１７】図１に示す機器管理システムにおいて録画従機器が録画不能となった場合の予備録画処理を説明するための第２のフローチャートである。
【図１８】図１に示す機器管理システムにおいて一のコンテンツを主コンテンツ及び従コンテンツとして録画するバックアップ録画処理を説明するためのフローチャートである。
【図１９】主コンテンツ及び従コンテンツの関係を説明するための概略図である。
【図２０】図１に示す機器管理システムにおいて従コンテンツが再生不能となった場合に主コンテンツから従コンテンツを復元するコンテンツ復元処理を説明するためのフローチャートである。
【図２１】図１に示す機器管理システムにおいて従コンテンツがユーザからの操作指示を受け付けている場合に主コンテンツに対するユーザからの操作指示を拒否するコンテンツ操作制限処理を説明するためのフローチャートである。
【図２２】図１に示す機器管理システムにおいて主コンテンツを可換記録媒体へ移動するときに従コンテンツをともに移動させるコンテンツ一体移動処理を説明するためのフローチャートである。
【図２３】図１に示す機器管理システムにおいて主コンテンツを可換記録媒体へ移動する場合に従コンテンツを削除するコンテンツ削除処理を説明するためのフローチャートである。
【図２４】図１に示す機器管理システムにおいて主コンテンツを可換記録媒体へ移動したときに従コンテンツに対するユーザの操作を拒否するコンテンツ操作制限処理を説明するためのフローチャートである。
【図２５】図１に示す機器管理システムにおいて記録又は再生用に送信されている再生ストリームを他のストリームより優先して送信するコンテンツ送信制限処理を説明するためのフローチャートである。
【図２６】図１に示す機器管理システムにおいてＢＳデジタル放送の受信時の認証処理を主機器で行った後に従機器へコンテンツを配信する主機器認証処理を説明するためのフローチャートである。
【図２７】図１に示す機器管理システムにおいて操作設定を機器間で共有する操作設定共有処理を説明するためのフローチャートである。
【符号の説明】
【０２４５】
１  通信装置
２  アンテナ
３，５  可換記録媒体記録装置
７  可換記録媒体再生装置
４，６，８  モニタ
９  宅内ネットワーク
１１  チューナ
１２  デコーダ
１３  記録部
１４  記録及び再生インターフェース部
１４ａ  再生インターフェース部
１５  可換記録媒体記録部
１６  固定記録媒体記録部
１７  メモリカード記録部
１８  再生部
１９  出力部
２０，２０ａ  制御部
２１  操作部
２２  リソース情報記録部
２３  電源切り替え部
２４  電源
２５  ネットワークアダプタ
２６  認証部
２７  可換記録媒体再生部
３１  通信コネクタ
３２  多重化部
３３  解読部
３４  暗号部
４１  情報管理部
４２  自リソース情報記録部
４３  従機器リソース情報記録部
４４  可換記録媒体情報記録部
【図１】
0004647329.tif 000002
【図２】
0004647329.tif 000003
【図３】
0004647329.tif 000004
【図４】
0004647329.tif 000005
【図５】
0004647329.tif 000006
【図６】
0004647329.tif 000007
【図７】
0004647329.tif 000008
【図８】
0004647329.tif 000009
【図９】
0004647329.tif 000010
【図１０】
0004647329.tif 000011
【図１１】
0004647329.tif 000012
【図１２】
0004647329.tif 000013
【図１３】
0004647329.tif 000014
【図１４】
0004647329.tif 000015
【図１５】
0004647329.tif 000016
【図１６】
0004647329.tif 000017
【図１７】
0004647329.tif 000018
【図１８】
0004647329.tif 000019
【図１９】
0004647329.tif 000020
【図２０】
0004647329.tif 000021
【図２１】
0004647329.tif 000022
【図２２】
0004647329.tif 000023
【図２３】
0004647329.tif 000024
【図２４】
0004647329.tif 000025
【図２５】
0004647329.tif 000026
【図２６】
0004647329.tif 000027
【図２７】
0004647329.tif 000028